(57)【特許請求の範囲】
【請求項１】
液体を温ミスト化してミストノズルから所定の方向へ噴出させるミスト発生手段を備えたミスト発生装置において、
使用者の手が前記ミストノズルに接触しないように保護する可動式の保護具と、前記ミストノズルの噴出方向を調整可能な噴出方向調整手段とを備え、
前記保護具は、前記噴出方向調整手段に取着されるとともに、前記ミストノズルから噴射される前記温ミストを使用者に向けて噴出可能な第１位置と、少なくとも前記ミストノズルの上部を覆うことにより、温ミストの噴出方向を下方に変更する第２位置との間で動かすことができるように形成され、
前記噴出方向調整手段は、前記保護具の前記第２位置への回動に伴って、前記ミストノズルの噴出位置を下方に変更可能であることを特徴とするミスト発生装置。
【請求項２】
開閉自在に構成され前記ミストノズル及び前記保護具を内部に収納する本体蓋をさらに備え、
前記保護具は、前記本体蓋が開状態のときに、前記第１位置と前記第２位置との間で動かすことができるように形成されていることを特徴とする請求項１に記載のミスト発生装置。
【請求項３】
前記保護具は、前記ミスト発生装置に対し着脱自在に構成されていることを特徴とする請求項１又は請求項２に記載のミスト発生装置。
【請求項４】
前記保護具は、前記本体蓋の閉動作に伴って前記第２位置側に動いて前記本体蓋内に収納されることを特徴とする請求項１〜請求項３のうち何れか一項に記載のミスト発生装置。
【請求項５】
前記保護具は、前記第１位置から前記第２位置への動きに連動して前記ミストノズルから噴出される温ミストを遮蔽する遮蔽部を備えていることを特徴とする請求項１〜請求項４のうち何れか一項に記載のミスト発生装置。
【請求項６】
前記保護具は、動作を規制されない状態において前記第２位置側から前記第１位置に向けて復帰するように付勢されていることを特徴とする請求項１〜請求項５のうち何れか一項に記載のミスト発生装置。
【請求項７】
前記ミスト発生手段は、加熱手段により液体を加熱して温ミスト化するように構成されており、
前記保護具が前記第１位置から動くと、前記加熱手段への通電を制御し少なくとも前記温ミストの噴射量を減少させる制御手段をさらに備えたことを特徴とする請求項１〜請求項６のうち何れか一項に記載のミスト発生装置。
【発明の詳細な説明】
【技術分野】
【０００１】
本発明は、使用者の肌にミストによる刺激を与えるミスト発生装置に関する。
【背景技術】
【０００２】
従来から、水などの液体をミスト化して使用者に向けて噴霧させ、使用者の肌にハリや潤いを与えるなどの美容効果を目的としたミスト発生装置（美容器）が広く用いられている。このようなミスト発生装置として、液体を加熱して発生させた温スチームと、温スチームより低温な冷ミストとを噴出口（ノズル）から使用者の肌に向けて噴射可能に構成された美顔器が提案されている（例えば、特許文献１）。また、ヒータにより発生させた熱霧（温ミスト）と、超音波振動体により発生させた冷霧（冷ミスト）とを混合したミストを、先細り形状をなした霧吹きノズルから使用者に向けて吹き当てるミスト発生装置が提案されている（例えば、特許文献２）。そして、特許文献１，２のミスト発生装置では、ノズルの角度を調整することより、使用者の顔の位置にあわせてミストの噴出方向を調整可能に構成されている。
【特許文献１】特開平１０−１５０４９号公報
【特許文献２】実公平６−９６５４号公報
【発明の開示】
【発明が解決しようとする課題】
【０００３】
しかしながら、特許文献１，２のミスト発生装置では、ノズルの角度を調整することでミストの噴出方向を調整することができるに過ぎず、使用者の安全性を高めることについて配慮がなされていなかった。すなわち、特許文献１，２では、ノズルに対して使用者の手が触れた場合であっても、比較的狭い範囲でしかノズルを可動させることができず、噴出されるミストが使用者から大きく反れることがなかった。このため、特許文献１，２のミスト発生装置では、ノズルから噴射された直後で比較的高温の温ミストや、該温ミストを噴出しているノズルに使用者の手などが直接触れてしまう虞があった。
【０００４】
この発明は、このような従来の技術に存在する問題点に着目してなされたものであり、その目的は、温ミストを噴出するノズルに使用者が触れることを防止することにある。
【課題を解決するための手段】
【０００５】
上記課題を解決するために、請求項１に記載の発明は、液体を温ミスト化してミストノズルから所定の方向へ噴出させるミスト発生手段を備えたミスト発生装置において、使用者の手が前記ミストノズルに接触しないように保護する可動式の保護具と、前記ミストノズルの噴出方向を調整可能な噴出方向調整手段とを備え、前記保護具は、前記噴出方向調整手段に取着されるとともに、前記ミストノズルから噴射される前記温ミストを使用者に向けて噴出可能な第１位置と、少なくとも前記ミストノズルの上部を覆うことにより、温ミストの噴出方向を下方に変更する第２位置との間で動かすことができるように形成され、前記噴出方向調整手段は、前記保護具の前記第２位置への回動に伴って、前記ミストノズルの噴出位置を下方に変更可能であることを要旨とした。
【０００６】
これによれば、使用者の手が温ミストを噴出するミストノズルに対し上方から接近すると、保護具は、使用者の手により第１位置から第２位置側へ動かされる。保護具は、第２位置側へ動かされるのに伴って、ミストノズルの上部を覆うとともに、ミストノズルと使用者の手との間に位置するようになる。このため、使用者がミストノズルに触れることを防止することができる。また、温ミストと使用者の手とを物理的に隔離し、使用者の手にミストノズルから噴出されて間もない温ミストが直接触れることを抑制できる。
【０００７】
請求項２に記載の発明は、請求項１に記載のミスト発生装置において、開閉自在に構成され前記ミストノズル及び前記保護具を内部に収納する本体蓋をさらに備え、前記保護具は、前記本体蓋が開状態のときに、前記第１位置と前記第２位置との間で動かすことができるように形成されていることを要旨とした。
請求項３に記載の発明は、請求項１又は請求項２に記載のミスト発生装置において、前記保護具は、前記ミスト発生装置に対し着脱自在に構成されていることを要旨としている。
これによれば、保護具に外力がかかっても、保護具がミスト発生装置から外れる。このため、外力によって保護具が破損することを抑制することができる。また、保護具が破損した場合であっても、保護具のみを交換すればよく、ミスト発生装置の本体を継続して使用することで省資源化を図ることができる。
【０００８】
請求項４に記載の発明は、請求項１〜請求項３のうち何れか一項に記載のミスト発生装置において、開閉自在に構成され前記ミストノズル及び前記保護具を内部に収納する本体蓋をさらに備え、前記保護具は、前記本体蓋の閉動作に伴って前記第２位置側に動いて前記本体蓋内に収納されることを要旨とした。
【０００９】
これによれば、保護具は本体蓋の閉動作に伴って第２位置側に動き、本体蓋に収納される。このため、本体蓋を大きく形成する必要がなく、本体蓋を閉じた状態のミスト発生装置を小型化することができる。そして、小さなスペースにミスト発生装置を収納することができる。
【００１０】
請求項５に記載の発明は、請求項１〜請求項４のうち何れか一項に記載のミスト発生装置において、前記保護具は、前記第１位置から前記第２位置への動きに連動して前記ミストノズルから噴出される温ミストを遮蔽する遮蔽部を備えていることを要旨とした。
【００１１】
これによれば、保護具が第２位置へ動くことに連動して、遮蔽部が温ミストの噴出を遮蔽する。このため、使用者の手にミストノズルから噴出されて間もない温ミストが直接触れることを抑制できる。
【００１２】
請求項６に記載の発明は、請求項１〜請求項５のうち何れか一項に記載のミスト発生装置において、前記保護具は、動作を規制されない状態において前記第２位置側から前記第１位置に向けて復帰するように付勢されていることを要旨とした。
【００１３】
これによれば、保護具は、外力がかかるなどして動作が規制されていない状態では、第２位置側から第１位置に向けて復帰する（動く）。このため、外力がかからない状態において、保護具が第２位置側へ動くことができ、且つ温ミストの噴射に適した第１位置とならないことを確実に防止することができる。すなわち、保護具により、使用者を保護することができる。
【００１４】
請求項７に記載の発明は、請求項１〜請求項６のうち何れか一項に記載のミスト発生装置において、前記ミスト発生手段は、加熱手段により液体を加熱して温ミスト化するように構成されており、前記保護具が前記第１位置から動くと、前記加熱手段への通電を制御し少なくとも前記温ミストの噴射量を減少させる制御手段をさらに備えたことを要旨とした。
【００１５】
これによれば、保護具が第２位置側に動かされることで、温ミストの噴出量が少なくとも減少される。このため、保護具が使用者により第２位置側へ動かされている場合、使用者の手にミストノズルから噴出されて間もない温ミストが直接触れることを抑制できる。
【発明の効果】
【００１６】
本発明によれば、温ミストを噴出するノズルに使用者が触れることを防止できる。
【発明を実施するための最良の形態】
【００１７】
以下、本発明を美容器に具体化した一実施形態について図１〜図１８を用いて説明する。
以下の説明において、「前（手前）」「後」「上」「下」「左」「右」は、美容器の使用者Ｐ（図１８に示す）が、美容器を使用する際に美容器に向いた状態を基準とした場合の「前（手前）」「後」「上」「下」「左」「右」を示すものとする。
【００１８】
図１及び図２に示すように、美容器１０の本体（装置本体）１１は、楕円形に形成された底部の全周から壁を立設し、その上端が後方から前方に向けて下方へ傾くように傾斜した有底円筒状のハウジング（筐体）１１ａと、ハウジング１１ａの上端開口部を覆って前方に傾斜するように形成された天面１２とから、略円柱状に形成されている。本体１１には、楕円形に形成された蓋天面１３ｂの周囲から壁が垂下されて内部に空間を有する略御椀状に形成された本体蓋１３が、本体１１の後部に設けられたヒンジ部３２を基点として前後方向に回動可能に取着されている。天面１２の略中央には、温ミストＨを噴出（噴射）する温ミスト噴出口１８ａを有する温ミストノズル１８と、温ミストＨより低温に設定される冷ミストＣを噴出（発生）する冷ミスト噴出口１９ａを有する冷ミストノズル（冷ミスト発生部）１９とが、本体１１に横並びに配設されている（各ミストＨ，Ｃは、図１８に示す）。各ミストノズル１８，１９は、略ドーム状に形成されたノズルカバー（噴出方向調整手段）２０に覆われている。ノズルカバー２０は、本体１１に対し上下方向へ回動可能に取着されている。そして、ノズルカバー２０を上下方向に回動させることで各ミストノズル１８，１９から噴出される各ミストＨ，Ｃの噴出方向を上下方向に調整可能となっている。ここで、各ミストＨ，Ｃの噴出方向とは、各ミスト噴出口１８ａ，１９ａの中心を通る中心線に沿った方向であって、美容器１０を使用する使用者Ｐへ向けて噴出される各ミストＨ，Ｃの進行方向をいう（図１８で二点鎖線Ｈ２に示す）。なお、各ミストノズル１８，１９は、内側に向けて傾くように配設されている。各ミストノズル１８，１９の傾きは、美容器１０の正面に使用者Ｐが位置している場合に、各ミストＨ，Ｃが使用者Ｐの中心（正面）に向かって噴出されるように設定されている。温ミストノズル１８は、ノズルカバー２０の左方に、冷ミストノズル１９は、ノズルカバー２０の右方に配置されている。そして、ノズルカバー２０は、各ミストＨ，Ｃが使用者Ｐに対して上方に噴出される上限方向と、該上限方向よりも下方（天面１２）側に設定され各ミストＨ，Ｃが美容器１０の設置面に対して略水平に噴出される下限方向との間で各ミストＨ，Ｃの噴出方向Ｈ２を調整可能となっている。また、ノズルカバー２０の下限方向は、各ミストＨ，Ｃが天面１２に当らない方向となるように設定されている。
【００１９】
また、ノズルカバー２０の各ミストノズル１８，１９の周囲には、各ミスト噴出口１８ａ，１９ａの中心を通る中心線に沿った方向（噴出方向Ｈ２と側面視において平行な方向）に向かって壁状に延設されたミストガイド２０ｂが設けられている。ミストガイド２０ｂの長さは、各ミストノズル１８，１９の上方側よりも下方側を長く形成してある。そして、ミストガイド２０ｂは、各ミストノズル１８，１９から噴出されるミストＨ，Ｃが、各ミスト噴出口１８ａ，１９ａの中心を通る中心線に沿った方向に噴出されるようにガイドするようになっている。
【００２０】
また、ノズルカバー２０には、保護具としてのキャップ２１が上下方向に回動可能に取着されている。
本実施形態の美容器１０には、所定の芳香剤を揮発させて芳香（香り）を発生させる芳香発生部（芳香発生手段）１５が搭載されている（図３、図１３に示す）。芳香発生部１５には、揮発させる芳香剤を貯留する芳香皿（貯留手段、有底容器）１２１を収容する芳香容器ＨＹが装着されている。芳香発生部１５に装着された芳香容器ＨＹは、所定の取出ボタンの操作により天面１２から上方へ突出されるとともに、上方へ引き上げるようにして芳香発生部１５から取出せるようになっている。換言すれば、芳香容器ＨＹは、各ミストＨ，Ｃの噴出方向Ｈ２と交差する方向を芳香発生部１５からの取出方向として取出し可能に構成されている。本実施形態の芳香発生部１５は、本体１１の各ミストノズル１８，１９とは別体に形成されているとともに、各ミストノズル１８，１９より前方に配設されている。芳香発生部１５には、発生させた芳香を上方に向かって放出可能な芳香放出口（芳香放出手段）１５ａが形成されている。芳香を放出する芳香放出口１５ａは、各ミスト噴出口１８ａ，１９ａと離間するように配置されている。また、芳香放出口１５ａは、各ミスト噴出口１８ａ，１９ａより使用者Ｐ側（前方）であって、且つ各ミストノズル１８，１９と近接した位置に形成されている。また、芳香放出口１５ａは、温ミスト噴出口１８ａの中心と、冷ミスト噴出口１９ａの中心との間（本実施形態では、中央）に、芳香放出口１５ａの中心が位置するように配置されている。換言すれば、芳香放出口１５ａは、各ミスト噴出口１８ａ，１９ａの中心と、芳香放出口１５ａの中心とで、芳香放出口１５ａが使用者Ｐ側（前方）に突出するような平面視三角形を構成するように配置されている。そして、芳香放出口１５ａは、正面視において各ミスト噴出口１８ａ，１９ａの下方に形成されている。
【００２１】
また、芳香発生部１５（芳香放出口１５ａ）は、下方に調整したノズルカバー２０のミストガイド２０ｂと平面視で重なり合う位置に配置されている（図３に示す）。このため、芳香発生部１５に装着された芳香容器ＨＹは、ノズルカバー２０を下方に調整した状態のまま上方に取出そうとしても、ミストガイド２０ｂと干渉（接触）して取出せないようになっている。すなわち、芳香発生部１５の芳香容器ＨＹは、ノズルカバー２０を上方に調整した場合にのみ、取出せるようになっている。なお、芳香発生部１５は、ノズルカバー２０を下方に調整した場合であっても、ミストガイド２０ｂによって芳香放出口１５ａが完全に覆われない位置に形成されている。すなわち、芳香発生部１５は、ノズルカバー２０が下方に調整されていても、芳香放出口１５ａから各ミストＨ，Ｃに向かって芳香を放出可能に構成されている。
【００２２】
芳香発生部１５の左方には、美容器１０の電源をＯＮ又はＯＦＦするための電源ボタン１６が備えられている。電源ボタン１６は、機械式スイッチとされている。また、芳香発生部１５の右方には、芳香発生部１５に備えられた芳香容器ＨＹを取出し操作するための芳香容器取出ボタン（取出操作部材）１１１が配設されている。芳香容器取出ボタン１１１は、該芳香容器取出ボタン１１１を押下操作しようとする使用者Ｐの手が、各ミストＨ，Ｃに当らない位置に設けられている。具体的に説明すると、ノズルカバー２０を下方に調整した場合であっても、各ミストＨ，Ｃは、ミストガイド２０ｂによって芳香容器取出ボタン１１１に当らない方向に噴出されるようにガイドされている。また、ノズルカバー２０は、芳香容器取出ボタン１１１に各ミストＨ，Ｃが当る位置まで下方に回動できないようになっている。
【００２３】
芳香発生部１５の前方には、使用者Ｐが美容器１０を操作するための操作部１４と、複数の発光体（例えば、ＬＥＤなど）の点灯パターン（点灯（点滅）／消灯）により美容器１０の運転状態を使用者に報知（お知らせ）する表示部Ｌが配設されている。操作部１４には、運転制御ボタン１４ｂ、使用コース選択ボタン１４ａ、及び芳香制御ボタン１４ｃが一列に横並び配置されている。運転制御ボタン１４ｂは、美容器１０の運転開始及び運転停止をする際に操作されるボタンである。使用コース選択ボタン１４ａは、任意の使用コースを選択する際に操作されるボタンである。本実施形態の美容器１０では、温ミストＨと、冷ミストＣとを所定の時間毎に切替えて使用者Ｐに対し噴出するように設定された複数の使用コースが設定されている（例えば、クリア肌コース、ハリ弾力コース、皮脂ケアコースなど）。ここで、各使用コースは、各使用コースの目的に応じて使用者Ｐの肌への美容効果が最適となるように、温ミストＨ、及び冷ミストＣの各噴出時間、及び切替え回数が設定されている。本実施形態の美容器１０では、使用コース選択ボタン１４ａが押下操作される毎に、使用コースが順次切替わるようになっている。なお、美容器１０には、冷ミストＣのみを噴出させる使用コースは設けられていない。また、芳香制御ボタン１４ｃは、芳香発生部１５から放出される芳香（香り）の強さ（揮発量）を調整する際に使用されるボタンである。本実施形態の美容器１０では、芳香制御ボタン１４ｃを押下操作する毎に、芳香の強さ（濃度）として、「弱」→「中」→「強」→「ＯＦＦ（芳香無し）」に、順次切替わるようになっている。各ボタン１４ａ〜１４ｃは、押下操作されることでそれぞれ操作信号を出力可能となっている。
【００２４】
また、ノズルカバー２０の後方には、各ミストノズル１８，１９から噴出する各ミストＨ，Ｃを発生するのに使用される液体（本実施形態では、水）を、所定量（本実施形態では、約１２０ｍｌ）貯蔵する給水タンク２２が、本体１１に収容された状態で設置されている。具体的に説明すると、給水タンク２２は、本体１１の天面１２に開口するように形成されたタンクホルダ２２ａに対し、上下（垂直）方向に挿入及び取出し可能に収納されている（図３の紙面右方に示す）。また、給水タンク２２は、本体蓋１３を開いた状態において、プッシュ操作されると図示しない付勢手段により上方にポップアップ（排出）されるとともに、再度プッシュ操作されるとフック２２ｄに固定される構造とされており、給水タンク２２を容易に着脱可能となっている。また、図３に示すように、タンクホルダ２２ａの下方側面には、タンクホルダ２２ａ内に過剰に供給された水をオーバーフローさせるオーバーフロー孔２２ｃが設けられている。オーバーフロー孔２２ｃには、排水パイプＨＰの一端が接続されている。また、排水パイプＨＰの他端は、本体１１の後下方に設けられた排水口２４（図１０に示す）に接続されている。そして、オーバーフロー孔２２ｃと排水口２４とを接続する排水パイプＨＰにより排水経路ＨＫが形成されており、オーバーフローさせた水を外部に排出できるようになっている。
【００２５】
図１及び図２に示すように、本体１１の左右両側面には、美容器１０を持ち運びするための取手２３が取着されている。略コ字状に形成された取手２３は、その両端がハウジング１１ａの左右側面に対しそれぞれ回動可能に取着されて、前後方向に回動可能となっている。そして、取手２３は、使用者Ｐが取手２３を持って運搬する運搬位置（図２（ｄ）に二点鎖線で示す）と、美容器１０を使用する際の下位置（図２（ｄ）に実線で示す）との間で、前後方向（図２（ｄ）の矢印Ｙ１に示す）に回動可能とされている。なお、図２（ｂ）に示すように、取手２３は、本体蓋１３が開けられた状態では、本体蓋１３に当接して（邪魔となって）運搬位置まで回動できないようになっている。このため、使用者Ｐは、取手２３を持って美容器１０を運搬するには、本体蓋１３を閉じた状態としなければならないようになっている。
【００２６】
図２に示すように、本体１１の後下方（背面）には、排水口２４（図１０に示す）を覆うとともに、下端を回動中心として上下方向に開閉可能な排水口カバー２５が設けられている。略長方形状に形成された排水口カバー２５の内側には、長手方向に沿った両端に壁部２５ａが立設されており、排水口２４から排出される水を外部に誘導するようになっている（図１０に示す）。また、本体１１の後下方には、電源コード２６が配線されている。電源コード２６は、ハウジング１１ａと、ハウジング１１ａにネジ止め固定される図示しないブッシュホルダとで挟み固定されている。電源コード２６には、コードバンド２７が取付けられており、美容器１０を使用しない場合、電源コード２６を束ねた状態で保持可能となっている（図２（ｃ）に示す）。また、コードバンド２７には、図示しない穴が形成されており、取手２３の一方の端部に形成された凸部２８に引っ掛けられるようになっている。このため、美容器１０を使用しない場合、電源コード２６を束ねた状態で凸部２８に引っ掛けて保管することができる。
【００２７】
また、本体１１の底面には、常には本体１１の底面から突出するように付勢された傾斜検知スイッチ２９が設けられている。傾斜検知スイッチ２９は、机等の平面上に美容器１０が設置されている場合、美容器１０の自重によって本体１１内に収容されるとともにＯＦＦ状態となっている。そして、傾斜検知スイッチ２９は、美容器１０が所定の設置状態から傾いたり、持ち上げられたりしてＯＮ状態となり、美容器１０が浮き上がった状態を検知するようになっている。
【００２８】
次に、本体蓋１３について図１〜図４に基づき説明する。
図１〜図３に示すように、本体蓋１３は、天面１２が露出して美容器１０を使用可能な開姿勢（開かれた状態）と、天面１２全体を内部に収納した閉姿勢（閉じられた状態）との間で、本体１１の後方に設けられたヒンジ部３２を基点に前後方向へ回動可能に構成されている。本体蓋１３は、美容器１０を使用する際、開姿勢を保つようになっている。また、本体蓋１３が閉姿勢の場合、各ミストノズル１８，１９、ノズルカバー２０、及びキャップ２１の他、操作部１４、芳香発生部１５、及び給水タンク２２は、本体蓋１３の内部に形成された空間に収納されるようになっている。このため、美容器１０を使用しない場合、本体蓋１３を閉じることで各ミストノズル１８，１９に異物が付着することを回避し、衛生に保つことができるようになっている。また、各ミストノズル１８，１９に異物が付着することで、各ミストＨ，Ｃの噴出方向が変化し、使用感を損なうことを防止することができる。すなわち、各ミストＨ，Ｃが予め定めた方向以外の方向に噴出されることを抑制できる。
【００２９】
また、ヒンジ部３２には、磁石３２ａが配設されており、本体１１の対応する位置に設けられたリードスイッチ式の本体蓋スイッチ３２ｂにより本体蓋１３が開姿勢（開かれた状態）にあることを検知するようになっている（図３の紙面右上方に示す）。また、本体蓋１３の内側には、長手方向に沿って延びるように中央部を凹ませて形成された段状の摺動リブ１３ｃが設けられている。摺動リブ１３ｃは、本体蓋１３が閉じられる際にキャップ２１を下方側へ移動するように滑らせるようになっている。
【００３０】
本体蓋１３の前方には、本体蓋１３を開閉動作させる開閉ボタン３３が設けられている。図４に示すように、開閉ボタン３３の左右両端には、凸部３３ａが突出形成されている。開閉ボタン３３は、両端の凸部３３ａを本体蓋１３の凹部１３ａに係合させることで、本体蓋１３に対し凸部３３ａを回動中心として前後方向に回動可能に装着されている。そして、開閉ボタン３３は、本体蓋１３に対してネジＮ１にて固定されたボタンカバー３４により覆われている。開閉ボタン３３と本体蓋１３との間には、開閉ボタン３３のボス部３３ｂで位置決めされた状態でバネＢ１が挟まれるように配置されている。そして、バネＢ１は、開閉ボタン３３を前方に向かって付勢するようになっている。
【００３１】
図３及び図４に示すように、開閉ボタン３３の先端に設けられたフック部３３ｃは、本体１１の天面１２に設けられた凹部１２ａに係合して、本体蓋１３を閉姿勢に保つようになっている。また、使用者Ｐにより開閉ボタン３３が押込み操作されると、開閉ボタン３３が凸部３３ａを回動中心として前後方向に回動するとともにフック部３３ｃと凹部１２ａとの係合が解除され、本体蓋１３を開けることができるようになっている。
【００３２】
次に、使用者Ｐの手が各ミストノズル１８，１９に接触しないように保護する可動式のキャップ２１について、図５及び図６に基づき詳細に説明する。
図５に示すように、ノズルカバー２０には、左右両端が下方に向かって折曲げ形成されて正面視略扇状に形成されたキャップ２１が、ノズルヒンジ部３５を介して取着されている。
【００３３】
キャップ２１の回動基端には、一対の軸部２１ｂが対向して形成されている。ノズルヒンジ３６の左右両側面には、キャップ２１の軸部２１ｂと対応する位置に、一対の軸孔３６ａが形成されている。キャップ２１の左方（一方）の軸部２１ｂには、ノズルヒンジ３６の左側面に形成された軸孔３６ａに挿通させたスプリングシャフト３７が固定されている。スプリングシャフト３７は、軸部２１ｂに対しスプリングシャフト３７に形成された図示しない凹部を嵌合させることで固定されている。一方、キャップ２１の右方（他方）の軸部２１ｂには、ノズルヒンジ３６の右側面に形成された軸孔３６ａを挿通させたスプリングピン３９が取付けられている。
【００３４】
このように構成することで、図２（ｂ）及び図６に示すように、キャップ２１は、キャップ２１が上方に向けられた第１位置としての噴射姿勢（図２（ｂ）の実線、及び図６（ａ）に示す）と、キャップ２１が下方に向けられた第２位置としての保護姿勢（図２（ｂ）の二点鎖線、及び図６（ｂ）に示す）との間で、スプリングシャフト３７及びスプリングピン３９を回動中心として上下方向に回動可能となっている。ここで、噴射姿勢は、キャップ２１によって各ミストＨ，Ｃの噴出が遮られず、使用者Ｐに対しミストを噴出するのに適した姿勢（位置）となっている。また、保護姿勢は、キャップ２１によって各ミストノズル１８，１９の上方が覆われ、各ミストＨ，Ｃの噴出方向が下方に変更される位置となっている。
【００３５】
また、図５に示すように、スプリングシャフト３７には、捻りコイルバネＢ２の一端が固定されている。一方、捻りコイルバネＢ２の他端側は、ノズルヒンジ３６に固定されている。また、ノズルヒンジ３６には、取着されたスプリングシャフト３７や捻りコイルバネＢ２などの部品を保護するシャフトカバー３８がネジＮ２により固定されている。そして、捻りコイルバネＢ２は、スプリングシャフト３７を介してキャップ２１が噴射姿勢に保たれるように付勢している。
【００３６】
また、ノズルヒンジ３６の左右側面には、軸孔３６ａの下方に位置するようにそれぞれ凸部３６ｂが形成されている。一部の連結部分を除いた各凸部３６ｂの周囲には、所定の幅でノズルヒンジ３６の内側と外側を連通するように形成した溝部３６ｃが形成されている。このため、各凸部３６ｂは、所定の負荷がかかると、溝部３６ｃが形成されていない連結部分が撓むことでノズルヒンジ３６の内側に入り込むように移動するようになっている。また、各凸部３６ｂは、負荷がかからなくなると、ノズルヒンジ３６を形成する材料の復元力によりノズルヒンジ３６の側面からそれぞれ突出した位置に戻るようになっている。すなわち、各凸部３６ｂは、溝部３６ｃによって可撓性が与えられている。
【００３７】
また、ノズルヒンジ部３５は、ノズルカバー２０の上部であって各ミストノズル１８，１９の後方に対向するように形成された凹部２０ａに、各凸部３６ｂがそれぞれ係合して固定されている。なお、ノズルヒンジ部３５は、各凸部３６ｂが可撓性を有していることから、ノズルカバー２０に対して着脱自在とされている。すなわち、キャップ２１は、ノズルヒンジ部３５がノズルカバー２０に対して着脱自在に構成されることで、ノズルカバー２０に対して着脱自在となっている。また、ノズルヒンジ部３５は、ノズルカバー２０に埋め込まれるように配設されている。このため、美容器１０の全体が小型化されている。
【００３８】
また、キャップ２１は、本体蓋１３が閉じられると、本体蓋１３の閉動作に伴って摺動リブ１３ｃを滑りながら保護姿勢（下方）側に移動し、本体蓋１３に収納されるようになっている。このため、本体蓋１３が閉じた状態では、キャップ２１が本体蓋１３内に収納されるため、美容器１０の全体が小型化（コンパクト化）されている。
【００３９】
次に、美容器１０の本体１１に内蔵される温ミスト発生機構（温ミスト発生手段）４０について、図７に基づき詳細に説明する。
図７に示すように、温ミスト発生機構４０は、給水タンク２２から供給される水を加熱して温ミストを発生させる温ミストボイラ室（温ミスト発生部）４１と、発生させた温ミストを微細化（イオン化）する放電部４２と、微細化した温ミストを噴出する温ミストノズル１８とから主に構成されている。
【００４０】
給水タンク２２をセットするタンクホルダ２２ａの下端に設けられた接続部２２ｂには、給水タンク２２から供給される水を、温ミスト発生機構４０、冷ミスト発生機構６０（図９に示す）、及び排水口２４（図１０に示す）へ供給可能に分岐させる分岐部Ｇが連設されている。分岐部Ｇには、耐熱性を備えた弾性材料（例えば、シリコンゴムや、フッ素ゴム）で形成された給水パイプＰ１の一端が接続されている。給水パイプＰ１の他端は、温ミストボイラ室４１に接続されており、タンクホルダ２２ａから温ミストボイラ室４１に水を供給する給水経路Ｋ１が形成されている。温ミストボイラ室４１には、供給された水を加熱して温ミストを発生させる温ミストヒータ４１ａを備えた沸騰室４１ｃが設けられている。沸騰室４１ｃには、給水経路Ｋ１から側方に分岐された給水経路Ｋ２により水が供給されるようになっている。また、沸騰室４１ｃは、水と温ミストヒータ４１ａとの接触面積を大きくするとともに、その内容積が小さくなるように形成されている。なお、沸騰室４１ｃの水位は、所定の水位Ｗに保たれるようになっている。ここで、水位Ｗは、温ミストヒータ４１ａにより水が過剰に加熱されて突沸した場合、加熱された水が温ミストノズル１８から噴出されない高さに設定されている。また、水位Ｗは、沸騰室４１ｃの温ミストヒータ４１ａと水が接触しない状態、いわゆる空焚きとならない高さに設定されている。なお、前述したオーバーフロー孔２２ｃは、水位Ｗを超えた水を外部に排出可能な高さ（位置）に形成されている。そして、沸騰室４１ｃの水位と、タンクホルダ２２ａの水位とは等しくなる。温ミストヒータ４１ａの放熱面（水と接触しない面）には、ヒータサーミスタ４１ｂがネジで固定されている。
【００４１】
また、温ミストボイラ室４１の上方には、温ミストヒータ４１ａにより発生した温ミストを温ミストノズル１８へ誘導する温ミスト誘導部材４２ａが接続されている。温ミスト誘導部材４２ａには、弾性材料（例えば、シリコンゴム）を用いて蛇腹状に形成された蛇腹部材４５の下端が接続されている。蛇腹部材４５の上端には、ノズルパッキン４３が取付けられたノズルホルダ４４が接続されている。また、ノズルパッキン４３には、温ミストノズル１８が固定されている。そして、温ミスト誘導部材４２ａ、及び蛇腹部材４５によって、温ミストヒータ４１ａにより発生した温ミストを温ミストノズル１８へ誘導する温ミスト経路Ｍ１が形成されている。
【００４２】
温ミスト誘導部材４２ａには、温ミスト経路Ｍ１の内部に放電部４２が設けられている。図８に示すように、放電部４２は、放電針４８を備え温ミスト誘導部材４２ａの内壁面の側方から突出するように形成された一対の電極部４７と、両電極部４７の中間に配置される中間電極部４７ａとから構成されている。なお、図８において、紙面下方が温ミストボイラ室４１側となり、紙面上方が温ミストノズル１８側となっている。また、温ミストボイラ室４１で発生された温ミストは、矢印Ｙ２に示す方向に流れるようになっている。
【００４３】
電極部４７を構成する各放電針４８は、温ミスト誘導部材４２ａの内壁に基端を固定された電極ホルダ４９に埋め込み固定されている。放電針４８は、例えばＡｇＰｄ材を直径０．５ｍｍの針状に形成する。各放電針４８は、それぞれ高圧回路基板４６に接続されており、高電圧が印加されることで両放電針４８の間で放電が発生され、温ミストを微細化するようになっている。
【００４４】
また、各放電針４８の周囲には、各放電針４８の全周に亘って吸水体５０が配設されている。吸水体５０は、例えば不織布などの繊維材料を各放電針４８に巻きつけて構成する。なお、吸水体５０は、放電針４８の全体が吸水体５０に埋没しないように所定の長さ（例えば、０．５ｍｍ〜１．０ｍｍ）だけ各放電針４８の先端部を突出させるように形成されている。また、吸水体５０の表面には、吸水体５０を構成する繊維材料がほつれて微細な繊維体５０ａが羽毛状に突出している。イオン発生電界が集中する各放電針４８の先端に温ミストＨが付着して結露すると、放電針４８間に発生する電界分布が著しく乱れ、放電が発生しにくくなり、イオン数が低下することが知られている。本実施形態の吸水体５０は、各放電針４８に付着した水を吸収することで、各放電針４８の先端における電界分布を安定化し、電界分布の乱れを防止するようになっている。
【００４５】
また、各電極部４７には、吸水体５０及び電極ホルダ４９の側面を覆うように、絶縁体５１が配設されている。絶縁体５１は、例えば、シリコンゴムやフッ素ゴム、フッ素樹脂等により形成する。
【００４６】
中間電極部４７ａを構成する中間電極５２は、温ミスト誘導部材４２ａに形成された凸部５３に圧入して固定された中間電極保持部材５４により、両放電針４８の中間に位置するように保持されている。中間電極５２は、例えば、Ｐｔ材を直径０．７ｍｍの棒状に形成する。中間電極保持部材５４は、例えば、ステンレス材（ＳＵＳ３０４など）により形成する。中間電極保持部材５４の固定側には、吸水体５４ａが配設されている。また、中間電極５２の位置は、両放電針４８の間の高圧放電が、中間電極保持部材５４を経由することなく、中間電極５２のみを経由して行われる位置に設定されている。両放電針４８の間に中間電極５２を設けることで、高圧放電に必要な絶縁破壊電圧を低下させ、中間電極５２を設けない場合より、低い電圧で放電させることができるようになっている。
【００４７】
次に、美容器１０の本体１１に内蔵される冷ミスト発生機構（冷ミスト発生手段）６０について、図９に基づき詳細に説明する。
図９に示すように、冷ミスト発生機構６０は、給水タンク２２から供給される水を殺菌する加熱処理部６１、加熱処理部６１で殺菌した水を冷却する冷却部６２、及び冷却した水をベンチュリ効果によりミスト化して噴出する冷ミストノズル１９から主に構成されている。
【００４８】
タンクホルダ２２ａに連設された分岐部Ｇには、弾性材料（例えば、シリコンゴム）で形成された給水パイプＰ２の一端が接続されている。また、給水パイプＰ２の他端は、加熱処理部６１に接続されて給水経路Ｋ３が形成されている。
【００４９】
加熱処理部６１には、タンクホルダ２２ａと同じ水位（水位Ｗ）まで水を貯留する貯留室６１ａが形成されている。また、加熱処理部６１には、貯留室６１ａに貯留された水と接触するように冷ミストヒータ６４がネジ止め固定されているとともに、冷ミストヒータ６４により加熱された水の対流を抑制するダンパ部６５が備えられている。ダンパ部６５は、下方に設けられた流入口６５ａと、上方に設けられた流出部６５ｂとの間の流路を蛇行させ、流路の長さが長くなるように構成されている。具体的に説明すると、ダンパ部６５には、対向する内壁から交互に水平に延設した複数の区画板６５ｃを設け、ダンパ部６５の内部を複数層に区画して流路が形成されている。本実施形態では、ダンパ部６５の内部に３枚の区画板６５ｃを設け、ダンパ部６５の内部を４層に区画している。
【００５０】
ここで、各区画板６５ｃの間の距離（高さ）は、ダンパ部６５の内部に形成される流路の長さを長くすることができ、且つ経路抵抗が増加して流量が低下しない距離（高さ）に設定されている。なお、流入口６５ａの面積は、水の流入を妨げない範囲で最小となるように設定されている。また、ダンパ部６５の内容積は、ダンパ部６５の内部に流入した水を冷ミストヒータ６４により加熱して所定の殺菌温度（例えば、８０℃）を到達するのに時間がかかり過ぎないように設定されている。
【００５１】
ここで、殺菌温度について説明する。殺菌温度は、その温度を所定の時間維持することで殺菌する目標の細菌を略死滅させることができる温度である。例えば、殺菌の目標とする細菌がレジオネラ菌である場合、８０℃を３０秒以上継続させることで死滅率を略１００％とすることができる。なお、殺菌温度を高くすると殺菌に必要な時間を短くできる一方で、加熱処理部６１の内部で沸騰することにより冷ミストノズル１９から蒸気が噴出されたり、タンクホルダ２２ａへ水が逆流したりする可能性がある。このため、殺菌温度は、加熱処理部６１の内部で水が沸騰しない温度で、且つできるだけ高い温度となるように設定されている。本実施形態では、殺菌温度を８０℃、加熱時間を３０秒に設定している。
【００５２】
貯留室６１ａには、ダンパ部６５の内部の水温を測定する水温サーミスタ６６が配設されている。水温サーミスタ６６は、ダンパ部６５の内部で最も水温が低くなりやすい場所に設けられている。本実施形態では、ダンパ部６５の流入口６５ａに配設されている。また、貯留室６１ａの水位Ｗより上方には、図示しない管状部材によってタンクホルダ２２ａと連通された圧力開放口６２ｂが形成されている。
【００５３】
ダンパ部６５の流出部６５ｂには、気液交換部６７が連設されており、流出部６５ｂから流出した水に含まれる気泡を捕獲するようになっている。具体的に説明すると、気液交換部６７には、水平方向に延びる略円柱状に形成された気液交換室６７ａが備えられている。気液交換室６７ａの一端側（上流側）の下方には、ダンパ部６５の流出部６５ｂが接続されているとともに、他端側（下流側）の下方には、水が流出する流出部６７ｃが形成されている。そして、気液交換室６７ａでは、ダンパ部６５から供給された水に含まれる気泡が上方に移動して捕獲され、気泡と水とが交換されるようになっている。なお、気泡は、冷ミストヒータ６４により水を加熱する際や、各部品の接続部分を水が通過する際に発生し、又は混入される。また、気液交換室６７ａの内容積は、美容器１０の使用によって発生する気泡の体積より大きくなるように設定されている。
【００５４】
気液交換部６７の流出部６７ｃには、内部に給水経路Ｋ４が貫通するように形成された放熱部材６８が連設されている。給水経路Ｋ４の下方側（上流側）は、気液交換部６７の流出部６７ｃと接続されている。放熱部材６８は、例えば、アルミフィンからなっており、給水経路Ｋ４内に供給される水の熱を奪って放熱し、冷却するようになっている。給水経路Ｋ４の上方側（下流側）は、ノズルホルダ４４ａにフック固定された冷ミストノズル１９に接続された給水管６９に接続されている。
【００５５】
冷ミストノズル１９には、送風ポンプ７７が接続された送風管７８が接続されている。そして、冷ミストノズル１９は、送風ポンプ７７から送出される空気を噴出させるとともに、ベンチュリ効果によりダンパ部６５の内部の加熱された水を吸引しつつミスト化して冷ミストＣを噴出するように構成されている。具体的に説明すると、冷ミストノズル１９の平面視中央には、送風ポンプ７７から送風管７８を介して搬送される空気を前方に向かって噴出させる空気噴出部１９ｃが配設されている。また、空気噴出部１９ｃの前方側部には、該空気噴出部１９ｃに近接して水供給部１９ｂが配設されている。水供給部１９ｂは、十分小さく縮径された状態で開口されており、空気噴出部１９ｃから空気が噴出されるのに伴って発生する負圧によって水が吸い出されるとともにミスト化されて前方に噴出されるようになっている。本実施形態において冷ミスト噴出口１９ａは、空気噴出部１９ｃと、水供給部１９ｂとから構成されている。
【００５６】
また、放熱部材６８の下方には、冷却用ファン７０が取付けられた冷却用モータ７１が配設されている。冷却用ファン７０は、冷却用モータ７１により回転駆動され、本体１１（ハウジング１１ａ）の底面に形成された冷却用吸入口７２から、防塵フィルタ７３を介して空気を吸入するようになっている。なお、防塵フィルタ７３は、埃や塵を通過させないメッシュ粗さ、又は開口率に設定されている。冷却用ファン７０、冷却用モータ７１、及び放熱部材６８（冷却部６２）の周囲には、冷却用ファン７０、冷却用モータ７１、及び放熱部材６８（冷却部６２）を内側に収容する略円筒状に形成された区画部材７４が配設されており、冷却用ファン７０により下流側に配設された放熱部材６８に向かって空気を送出するように構成されている。すなわち、放熱部材６８は、冷却用ファン７０により送出された空気により冷却されるようになっている。また、区画部材７４の上方には、弾性材料（例えば、シリコンゴム）を蛇腹状に形成した蛇腹部材７５の下端側が取付けられている。そして、蛇腹部材７５の上端側は、冷ミストノズル１９の周囲に、冷ミストノズル１９の空気噴出部１９ｃと正面視同心円状となるように形成された送風口７６と接続されている。そして、区画部材７４、及び蛇腹部材７５により冷却用ファン７０が送出する空気を送風口７６から送出させる送風経路Ｓ１が形成されている。
【００５７】
次に、美容器１０の本体１１の後下方（背面）に設けられた排水機構８０について、図１０〜図１２に基づき詳細に説明する。排水機構８０は、給水タンク２２、タンクホルダ２２ａ、温ミスト発生機構４０、及び冷ミスト発生機構６０を満たす水を本体１１の外に排水するための機構である。
【００５８】
図１０に示すように、ハウジング１１ａに配設された排水部カバー８２には、排水口２４、及び使用者Ｐが排水操作する際に上下方向にスライド操作される排水ボタン８１が設けられている。排水ボタン８１は、排水口カバー２５が閉じられると排水口２４とともに内部に収納されるようになっている。
【００５９】
図１０及び図１１に示すように、排水ボタン８１には、使用者Ｐが排水ボタン８１を操作する際に、指を掛ける指掛け部８１ａがハウジング１１ａの外側に突出するように設けられている。排水ボタン８１の背面には、排水部カバー８２に形成された開口部８２ａに係合することで排水ボタン８１を排水部カバー８２に対し上下方向にスライド可能に装着する一対のフック部８１ｂが形成されている。また、両フック部８１ｂの間には、四角柱状の凸部８１ｃが突出形成されている。
【００６０】
排水部カバー８２の上端には、凸部８２ｄが上方に向けて突出形成されている。そして、排水部カバー８２は、凸部８２ｄをハウジング１１ａに係止させつつ、下端部を図示しないネジで固定することで、ハウジング１１ａに固定されている。排水部カバー８２の背面には、上下方向に沿って平行に延びる板状のガイド板８２ｂが立設されている。一対のガイド板８２ｂの間には、一対の係合部８２ｃが突出形成されている。
【００６１】
また、排水部カバー８２の背面には、ガイド板８２ｂの間に位置するようにガイド部材８３が配設されている。ガイド部材８３の略中央には、排水ボタン８１の凸部８１ｃが圧入される係合孔８３ｂが設けられている。そして、排水部カバー８２と排水ボタン８１とは、フック部８１ｂが係合部８２ｃに係合されて固定されている。このため、ガイド部材８３は、排水ボタン８１が使用者Ｐによってスライド操作されると、排水ボタン８１と一体となって排水部カバー８２のガイド板８２ｂにガイドされながら上下方向にスライド移動されるようになっている。ガイド部材８３の下方には、ネジＮ３により排水アーム８４が固定されている。排水アーム８４は、側面視略Ｌ字に折り曲げ形成されており、ネジ止め固定された基端部とは反対側の先端部に係合部８４ａが切り欠き形成されている。排水アーム８４は、ガイド部材８３と一体となって、上下方向にスライド移動可能となっている。すなわち、排水ボタン８１、ガイド部材８３、及び排水アーム８４は、排水ボタン８１が使用者Ｐによって上下方向にスライド移動されると、一体となって上下方向に移動するようになっている。
【００６２】
図１２に示すように、排水口２４の奥方には、分岐部Ｇに接続された排水パイプＰ３が接続された排水室８５が形成されている。すなわち、排水しようとする水は、排水パイプＰ３から排水室８５を経由し、排水室８５の底部に形成された開口部８５ａを通って排水口２４から排出されるようになっている（図１２に矢印Ｙ３で示す）。なお、排水パイプＰ３及び排水室８５は、給水タンク２２、タンクホルダ２２ａ、温ミスト発生機構４０、及び冷ミスト発生機構６０などより低い位置（下方）に設けられている。
【００６３】
排水室８５には、排水室８５の開口部８５ａを閉塞可能な排水パッキン８６が配設されており、前述の排水ボタン８１のスライド操作と連動して排水を行う開封状態と、排水を停止する閉塞状態に切り替え可能に構成されている。具体的に説明すると、排水室８５の平面視略中央には、上下方向に揺動（スライド）自在に保持されたスライドバー８７が備えられている。スライドバー８７の下端側には、排水パッキン８６の内側が取付けられる下Ｅリング８７ｂが装着されている。排水パッキン８６は、スライドバー８７が下方に移動すると、下Ｅリング８７ｂに固定された内側部分が同時に下方へ移動し、開口部８５ａを閉塞（シール）させるようになっている。また、排水パッキン８６は、スライドバー８７が上方に移動すると、下Ｅリング８７ｂに固定された内側部分が同時に上方へ移動し、開口部８５ａの閉塞状態を解除する（開封する）ようになっている。また、排水パッキン８６の外側は、排水室８５の上方の内壁面に密着して配設されており、水が排水室８５から本体１１の内部に流出しないようになっている。
【００６４】
スライドバー８７の上下方向略中央には、上Ｅリング８７ａが装着されている。スライドバー８７の上方に配置されているタンクホルダ２２ａの下部には、スライドバー８７を挿通させたコイルバネ８８を支持するバネ受部８８ａが形成されている。そして、コイルバネ８８は、バネ受部８８ａと上Ｅリング８７ａとの間に配置されることで、スライドバー８７を下方に付勢するようになっている。すなわち、バネ受部８８ａがコイルバネ８８の上ストッパとなり、上Ｅリング８７ａが下ストッパとなっている。なお、上Ｅリング８７ａの外径は、コイルバネ８８の外径よりも大きく設定されている。
【００６５】
上Ｅリング８７ａの下側には、前述の排水アーム８４の係合部８４ａが係止されている。このため、排水ボタン８１が操作されていない状態では、コイルバネ８８による下方への付勢力によって、スライドバー８７、排水アーム８４、及び排水アーム８４と一体となって動作するガイド部材８３及び排水ボタン８１が常には下方へ移動した状態で保持されるようになっている（図１２（ａ）の状態）。この状態では、スライドバー８７が下方に移動されており、開口部８５ａが排水パッキン８６によって閉塞（シール）されるようになっている。なお、コイルバネ８８による下方への付勢力により排水パッキン８６の内側部分が開口部８５ａの周縁部に密着され、閉塞（シール）状態が維持されるようになっている。一方、使用者Ｐによって排水ボタン８１が上方へスライド移動されると、排水アーム８４も連動して上方に移動されるとともに、上Ｅリング８７ａで係止されているスライドバー８７も上方に移動される（図１２（ｂ）の状態）。この状態では、排水ボタン８１の移動に伴ってスライドバー８７が上方に移動するとともに開口部８５ａの閉塞状態（シール）が解除され、排水が行われるようになっている。
【００６６】
なお、排水アーム８４は、スライドバー８７が最下端に移動した場合に、排水パッキン８６と接触しないように構成されている。
次に、貯留された芳香剤を揮発させて芳香を発生する芳香発生部（芳香発生手段、芳香発生装置）１５について、図１３〜図１６に基づき詳細に説明する。
【００６７】
図１３に示すように、芳香発生部１５は、芳香剤を貯留する芳香容器ＨＹと、揮発装置９０と、芳香容器着脱機構９１とから構成されている。
まず、芳香容器ＨＹに貯留された芳香剤を揮発させる揮発装置９０について説明する。図１３に示すように、ハウジング１１ａには、天面１２の略中央に開口し芳香容器ＨＹを収納可能な収容室９３ａを形成する芳香ハウジング９３が固定されている。収容室９３ａの内壁面には、上下方向に延びるようにガイドリブ９３ｄが形成されている。ガイドリブ９３ｄの上端には、リードスイッチ式の取出ボタンセンサ９３ｆが配設されている。取出ボタンセンサ９３ｆは、芳香容器ＨＹに設けられた磁石１２３ｇによってＯＮされることで、芳香容器ＨＹが収容室９３ａに収容されていること、すなわち芳香発生部１５に芳香容器ＨＹが装着されていることを検知するようになっている。
【００６８】
芳香ハウジング９３の下方に形成されたモータ室９３ｂには、芳香用モータ９５が収容されている。芳香用モータ９５は、下方から略円盤状に形成されたモータホルダ９６がネジ止めされて芳香ハウジング９３に固定されている。収容室９３ａの底面から上方に向かって突出するように配置される芳香用モータ９５の駆動軸９５ａの先端には、ブッシュ９５ｂが圧入によって固定されている。ブッシュ９５ｂには、芳香用ファン９４が圧入により固定されている。そして、芳香用モータ９５により芳香用ファン９４が回転駆動され、収容室９３ａの上方に向かって空気を搬送（送風）できるようになっている。なお、芳香ハウジング９３と芳香用モータ９５の間には、パッキン９５ｃが配設されており収容室９３ａとモータ室９３ｂとが連通しないように封止（シール）されている。本実施形態では、芳香用モータ９５により回転駆動される芳香用ファン９４が揮発手段として機能している。
【００６９】
芳香ハウジング９３の下方側面には、芳香用ファン９４の下方に開口するパイプ状の接続ボス９３ｃが形成されている。接続ボス９３ｃには、弾性材料（例えば、シリコンゴム）により形成された吸気チューブ９７の一端が接続されている。吸気チューブ９７の他端は、ハウジング１１ａの底面に形成された吸気口（吸入部）９９と連通するように固定されたパイプ状の接続ボス９８に接続されている。なお、接続ボス９８の内径と、吸気口９９の直径とは略一致させてある。ハウジング１１ａの底部外側には、吸気口９９を覆うように芳香用フィルタ１００が設けられている。芳香用フィルタ１００は、埃や塵を通過させないメッシュ粗さ、又は開口率に設定されている。
【００７０】
そして、芳香ハウジング９３の収容室９３ａ、接続ボス９３ｃ、吸気チューブ９７、及び接続ボス９８から、ハウジング１１ａの底面と、天面１２とを連通する送風経路Ｓ２が形成されている。そして、芳香用ファン９４は、芳香用モータ９５によって回転駆動されることによって、芳香用フィルタ１００を介して空気を本体１１の底面から吸入するとともに、送風経路Ｓ２内に吸入された空気を収容室９３ａの上方に向かって送出するようになっている。
【００７１】
次に、芳香ハウジング９３の収容室９３ａに対し、芳香容器ＨＹを着脱自在に装着する芳香容器着脱機構９１について説明する。図１３及び図１４に示すように、芳香容器着脱機構９１は、芳香容器ＨＹを上方に押し上げる芳香容器押上げ部１０１と、芳香容器ＨＹを収容室９３ａに固定、及び固定の解除をする芳香容器固定部１０２とから構成されている。
【００７２】
まず、芳香容器押上げ部１０１について説明する。
図１３及び図１４に示すように、収容室９３ａには、芳香用ファン９４を覆うようにファンカバー１０３がネジＮ４により固定されている。また、ファンカバー１０３には、上下方向に延びるように複数（本実施形態では、３つ）のガイド部１０３ｂが形成されている。また、ファンカバー１０３には、芳香用ファン９４が送出する空気が通過する複数（本実施形態では、３つ）の通風孔１０３ａが、ガイド部１０３ｂの間に形成されている。ファンカバー１０３の上部には、円柱状に凹設されたバネ受部１０３ｃと、該バネ受部１０３ｃの中央から上方に突出するように形成されたボス部１０３ｄとが備えられている。バネ受部１０３ｃには、ボス部１０３ｄに挿通されるように押上バネ１０４が配設されている。
【００７３】
ファンカバー１０３の上方には、ファンカバー１０３及び押上バネ１０４を覆うように天板を有する円筒状のスプリングカバー１０５が配設されている。スプリングカバー１０５の下面側には、ファンカバー１０３に対して上下方向に移動可能な状態でファンカバー１０３のボス部１０３ｄが挿入される筒状の中空ボス部１０５ａが設けられている（図１３に示す）。また、中空ボス部１０５ａは、ボス部１０３ｄと同様に押上バネ１０４の内側に配設されることで、押上バネ１０４の伸縮動作をガイドするとともに、該押上バネ１０４により上方に向かって付勢されている。また、スプリングカバー１０５の側面には、ファンカバー１０３に設けられたガイド部１０３ｂと同数のフック部１０５ｂが下方に向けて延設されている。各フック部１０５ｂは、ファンカバー１０３のガイド部１０３ｂに係合して、スプリングカバー１０５がファンカバー１０３に対して周方向に回転しないようにガイドすると同時に、上方に抜けないようになっている。
【００７４】
以上のように、ファンカバー１０３、押上バネ１０４、及びスプリングカバー１０５とから、芳香容器押上げ部１０１が構成されている。
次に、芳香容器固定部（規制手段）１０２について説明する。
【００７５】
芳香ハウジング９３の上端側方には、有底略円筒状のボタン取付部９３ｅが側方に突出するように形成されている。ボタン取付部９３ｅの収容室９３ａ側には、収容室９３ａに連通するフック突出孔１０７が形成されている。ボタン取付部９３ｅの底部には、フック突出孔１０７に向かって延びる板状のフックガイドレーン１０６が設けられている。フックガイドレーン１０６の上には、収容室９３ａに先端が突出して芳香容器ＨＹを取出し不能に係止するフック部材１０８が配置されている。フック部材１０８の突出方向の後側、すなわち収容室９３ａから離間する側に設けられた凸部１０８ａには、着脱バネ１０９の一端が圧入により固定されている。着脱バネ１０９の他端はボタン取付部９３ｅの内壁に固定されており、フック部材１０８の全体が収容室９３ａに突出する側（収容室９３ａ側）へ付勢されている。フック部材１０８の突出する方向と直交する方向の両端には、下方に向かって延設されたのち外側に向かって水平に突出形成された凸部１０８ｂがそれぞれ形成されている。また、フック部材１０８には、フック部材１０８の突出方向に沿って平行に一対の長孔１０８ｃが形成されている。長孔１０８ｃには、フック部材１０８の後側からフック部材１０８の突出する側に向かって下方に傾くように傾斜部１０８ｄが形成されている。
【００７６】
フック部材１０８の上方には、フック部材１０８を上方から固定する略円筒状のボタンホルダ１１０が配設されている。ボタンホルダ１１０は、ボタン取付部９３ｅに対して圧入されるとともに、天面１２から突出しない位置に固定されている。ボタンホルダ１１０の側方には、下方に向かって延びる壁部１１０ａが対向して形成されている。各壁部１１０ａの下端には、凸部１０８ｂの上面と平行に配設されてフック部材１０８が上下方向に移動することを規制する下端面１１０ｂが形成されている。また、各下端面１１０ｂには、フック部材１０８の凸部１０８ｂが着脱バネ１０９の付勢力により当接されるように、突出停止壁１１０ｃが下方に向かって突出形成されている。すなわち、フック部材１０８は、凸部１０８ｂが突出停止壁１１０ｃに当接することで、着脱バネ１０９の付勢力によってフック突出孔１０７から収容室９３ａに脱落しないようになっている。ボタンホルダ１１０の内側に設けられるボタン収容部１１０ｄには、使用者Ｐにより押下操作される芳香容器取出ボタン１１１が装着されている。また、ボタンホルダ１１０の下部には、下方から上方に向かって矩形に切欠き形成した切欠部１１０ｅが対向するように設けられている。
【００７７】
芳香容器取出ボタン１１１の下方には、フック部材１０８の傾斜部１０８ｄと係止する一対のリブ部１１１ａが形成されている。各リブ部１１１ａの下端には、傾斜部１０８ｄの傾斜面と対応する斜面が形成されている。すなわち、リブ部１１１ａの傾斜面は、フック部材１０８の後側に配置される側から、突出する側に配置される側に向かって下方に傾くように形成されている。そして、芳香容器取出ボタン１１１は、押下操作されると、各リブ部１１１ａの下部斜面とフック部材１０８の傾斜部１０８ｄとが接触した状態で滑りながら後側へ向かってフック部材１０８を移動させるようになっている。そして、フック部材１０８の先端部は、収容室９３ａから突出しない状態となる。なお、フック部材１０８は、収容室９３ａに突出する方向へ向かって付勢されていることから、芳香容器取出ボタン１１１の全体を上方に向かって付勢するようになっている。また、芳香容器取出ボタン１１１には、各リブ部１１１ａの間にそれぞれ対向するようにフック部１１１ｂが形成されている。各フック部１１１ｂは、ボタンホルダ１１０の各切欠部１１０ｅにそれぞれ係合されており、芳香容器取出ボタン１１１が上下方向に摺動自在、かつ上方に抜けないようになっている。
【００７８】
以上のように、フック部材１０８、着脱バネ１０９、ボタンホルダ１１０、及び芳香容器取出ボタン１１１から、芳香容器固定部１０２が構成されている。
次に、芳香剤を貯留する芳香容器ＨＹについて、図１３、図１５〜図１７に基づき詳細に説明する。
【００７９】
図１３及び図１５に示すように、芳香容器ＨＹは、収容室９３ａに配設されたスプリングカバー１０５の上にセットされる保持部材１２０、芳香剤を貯留する芳香皿（有底容器）１２１、及び保持部材１２０に装着される蓋部材１２３から主に構成されている。
【００８０】
略円筒状に形成された保持部材１２０の上部には、芳香皿１２１の底部を下方から支持する支持部１２０ａと、該支持部１２０ａの周囲に形成されスプリングカバー１０５側と芳香皿１２１側とを連通する通風口（風路）１２０ｂとが設けられている。支持部１２０ａの下面は、収容室９３ａ内のスプリングカバー１０５と接触して支持されるようになっている。また、保持部材１２０の上部には、複数（本実施形態では、３本）のフック部１２０ｃが保持部材１２０の周方向に所定の間隔（本実施形態では、約１２０度）毎に立設されており、芳香皿１２１を着脱自在に嵌め込めるようになっている。本実施形態では、芳香皿１２１及び保持部材１２０が有底容器部材を構成している。また、フック部１２０ｃには、芳香皿１２１を嵌め込んだ状態で金属製のリング１２２が取着されるようになっている。また、保持部材１２０の上端には、該上端の一部を周方向に沿って切り欠いた２つの切欠部１２０ｄが形成されている。また、各切欠部１２０ｄには、それぞれ凹部１２０ｅが設けられている。なお、保持部材１２０の大きさは、芳香皿１２１を取付けた状態で、乳幼児等が誤って口に入れることができない大きさに形成されている。
【００８１】
保持部材１２０には、天面１２の傾斜角度と同じ傾斜角度の天板部１２３ａを備えた円筒状の蓋部材１２３が着脱自在に装着されるようになっている。具体的に説明すると、蓋部材１２３の内側下方には、保持部材１２０の各凹部１２０ｅに嵌合する２つの凸部１２３ｂが対応する位置に形成されている。そして、保持部材１２０の各凸部１２３ｂを切欠部１２０ｄに対して上方から挿入するとともに、周方向に蓋部材１２３を回動させることで、各凸部１２３ｂと凹部１２０ｅとがそれぞれ嵌合されるようになっている。また、各凸部１２３ｂと凹部１２０ｅとが嵌合した状態から、蓋部材１２３を逆方向に回動させることで係合状態を解除することができるようになっている。保持部材１２０に蓋部材１２３が装着されると、フック部１２０ｃ、嵌め込まれた芳香皿１２１、及びリング１２２が、蓋部材１２３に覆われるようになっている。蓋部材１２３の天板部１２３ａの中央には、揮発させた芳香を放出する芳香放出口１５ａが形成されている。芳香放出口１５ａは、芳香放出口１５ａの上方と芳香容器ＨＹの内部とを連通させた状態で、平面視格子状に形成されている。芳香放出口１５ａに形成された格子の目の大きさは、芳香用ファン９４が搬送する空気の噴出を妨げない大きさで、且つ液状の芳香剤が格子構造に付着した際、表面張力により格子の目の中に保持されて通過しにくい大きさに設定されている。また、芳香放出口１５ａの格子の目の大きさは、使用者Ｐに対し、芳香放出口１５ａの上方から芳香皿１２１に芳香剤を滴下する気を起すことを抑制できる大きさ（細かさ）に設定されている。本実施形態では、格子は、□０．５〜４．０ｍｍ、好ましくは□１．８〜２．２ｍｍに設定されている。
【００８２】
また、蓋部材１２３の側面には、下方に向かって広がるようにハ字状に配設したリブ構造からなるガイドレーン１２３ｃが設けられている。ガイドレーン１２３ｃは、芳香容器ＨＹを収容室９３ａに挿入する際、収容室９３ａに形成されたガイドリブ９３ｄと係止されることで、天板部１２３ａの傾斜と天面１２（本体１１）の傾斜とが一致する状態にガイドするようになっている。また、蓋部材１２３には、両ガイドレーン１２３ｃの間に磁石１２３ｇが配設されている。磁石１２３ｇは、芳香容器ＨＹが収容室９３ａに固定された状態において、取出ボタンセンサ９３ｆと対応する位置に配設されている。蓋部材１２３の下端には、周方向に延びるように風路を形成するためのツバ部１２３ｅが形成されている。蓋部材１２３の上部には、複数のリブ構造で仕切られたゴム設置部１２３ｆが形成されているとともに、略直方体に形成されたゴム部材１２５が挿入されている。ゴム部材１２５の下端部は、蓋部材１２３に形成された図示しない覗き孔から突出されており、芳香容器ＨＹを収容室９３ａに挿入した状態において、収容室９３ａの内壁面と接触する（壁面に押されて蓋部材１２３に押込まれるようにへこむ）ようになっている。
【００８３】
また、図１３に示すように、蓋部材１２３の内側には、芳香用ファン９４が芳香容器ＨＹの下方から上方へ向けて搬送する空気の進行方向を、芳香皿１２１の略全周から芳香皿１２１の内部に流入する方向に変更する方向変更部１２６が設けられている。具体的に説明すると、方向変更部１２６は、蓋部材１２３の天板部１２３ａの内側に形成されており、内壁面と芳香放出口１５ａとを断面視逆Ｕ字状となるように形成されている。
【００８４】
また、蓋部材１２３の側面には、前述のフック部材１０８の先端が係止される突起部１２３ｄが突出形成されている。そして、芳香容器ＨＹが収容室９３ａに挿入されると、突起部１２３ｄがフック部材１０８の先端に係止されることで、取出し不能な状態で固定されるようになっている。なお、突起部１２３ｄがフック部材１０８の先端に係止された状態で、芳香容器取出ボタン１１１が押下操作されてフック部材１０８が収容室９３ａから離間する側に移動すると、係止状態が解除されるとともに、スプリングカバー１０５が芳香容器ＨＹを上方へ押し上げるようになっている。なお、スプリングカバー１０５は、使用者Ｐが芳香容器ＨＹを掴むことができる高さだけ天面１２から突出するように、上方に向かって押上げるようになっている。
【００８５】
蓋部材１２３の上部には、中央に芳香が放出される孔が形成された容器カバー１２４が取着されている。容器カバー１２４の外縁には、内側に折り曲げ形成された複数（本実施形態では、４つ）の折り曲げ部１２４ａが形成されている。容器カバー１２４は、各折り曲げ部１２４ａがそれぞれ蓋部材１２３に係止されることで固定されている。
【００８６】
次に、芳香剤を貯留する芳香皿１２１について、図１６に基づき説明する。
図１６に示すように、金属製（例えば、ステンレス材）の芳香皿１２１は、円形の底部の周囲から壁部（側壁）１２１ｈを立設して有底略円筒状に形成されている。芳香皿１２１の開口縁部には、前記有底容器の内側に向かって折り返されるように形成された折返し部１２１ａが設けられている。折返し部１２１ａの高さ（直径方向の長さ）は、芳香皿１２１を垂直（９０度）に立てた状態で、芳香皿１２１に貯留された２滴、好ましくは１０滴以上の芳香剤がこぼれない高さに設定されている。本実施形態では、芳香皿１２１の外径は直径２８ｍｍ、折返し部１２１ａの開口部直径は２４ｍｍとされている。なお、芳香皿１２１の高さは１０ｍｍとされている。
【００８７】
芳香皿１２１の底部には、略半球形に形成された複数（本実施形態では、１９個）の凹部１２１ｂ（貯留部）が設けられている。また、複数形成された凹部１２１ｂの周囲には、壁部１２１ｈから凹部１２１ｂに向かって傾斜するように傾斜部１２１ｃが形成されている。傾斜部１２１ｃは、芳香皿１２１の底部の中心側から外側に向かって高くなるように傾斜している。凹部１２１ｂ及び傾斜部１２１ｃは、芳香皿１２１に貯留される芳香剤と空気との接触面積（以下、「表面積」という）を調整するようになっている。一般的に、芳香剤の表面積と揮発量との間には相関関係ある。すなわち、表面積が大きいほど、芳香剤の揮発量も大きくなる一方、表面積が小さいほど、芳香剤の揮発量が小さくなる。本実施形態の凹部１２１ｂ及び傾斜部１２１ｃは、芳香皿１２１に貯留される芳香剤の表面積を調整することで、芳香剤の揮発量を調整する調整手段として機能するようになっている。具体的に説明すると、凹部１２１ｂは、該凹部１２１ｂに滴下された芳香剤が、各凹部１２１ｂに優先的に流入することで、芳香皿１２１の底部のうち凹部１２１ｂが形成されていない部分に芳香剤が拡がることを抑制するようになっている。すなわち、凹部１２１ｂは、各凹部１２１ｂの容積の総和（以下、「凹部容積」と示す）を超えない量の芳香剤が滴下された場合、芳香剤の表面積を各凹部１２１ｂが形成された部分の面積に対応した面積に調整するようになっている。また、凹部容積を超える量の芳香剤が凹部１２１ｂに滴下されると、各凹部１２１ｂに貯留しきれない芳香剤は、凹部１２１ｂが形成されていない部分に拡がったのち、傾斜部１２１ｃにより滴下された芳香剤の量に応じた表面積となるように調整されるようになっている。
【００８８】
また、各凹部１２１ｂ及び傾斜部１２１ｃは、芳香剤の滴下量が１滴の場合と２滴の場合とで、表面積の比率が所定の比率となるように、すなわち芳香剤の滴下数と表面積との間で一定の相関があるように大きさ（直径及び深さ）が設定されている。本実施形態では、芳香剤の滴下量が１滴の場合と、２滴の場合とで、表面積の比率が１：１．３〜３．０、より好ましくは１：１．５〜２．０となるように構成されている。本実施形態では、芳香剤を凹部１２１ｂに対し１滴滴下した場合、凹部１２１ｂの略全てが芳香剤により満たされるようになっている。また、本実施形態では、芳香剤を凹部１２１ｂに対し２滴滴下した場合、芳香剤が傾斜部１２１ｃの下端（境界部分）まで拡がるようになっている。また、本実施形態では、芳香剤を凹部１２１ｂに対し３滴滴下した場合、傾斜部１２１ｃの傾斜に沿って表面積が拡大されるようになっている。
【００８９】
なお、凹部１２１ｂに貯留された芳香剤は、芳香皿１２１を傾けても凹部１２１ｂに留められるようになっており、凹部１２１ｂが形成されていない部分に流出し難いようになっている。
【００９０】
以上のように構成された芳香発生部１５において、使用者Ｐが各ミストＨ，Ｃと混合された状態で吸入する芳香剤の濃度が所定の濃度（例えば、１０ｐｐｍ）を超えないように、且つ発生されたミストＨ，Ｃの進行（噴出）を妨げないように、芳香放出口１５ａの直径、芳香放出口１５ａから噴出される空気の流速、及び芳香皿１２１に貯留された芳香剤の表面積の組合せ条件が設定されている。組合せ条件を例示すると、例えば本実施形態では、芳香放出口１５ａの開口直径は１９ｍｍに設定されている。この場合、芳香放出口１５ａでの空気の流速は０．６ｍ／秒以下、より好ましくは０．３ｍ／秒以下となるように、芳香用ファン９４が回転駆動されるようになっている。そして、芳香皿１２１の凹部１２１ｂと傾斜部１２１ｃは、芳香剤の滴下量が１滴（約０．０３ｍｌ）の場合、芳香剤の表面積が１００〜２２０ｍｍ２、より好ましくは１３０〜１９０ｍｍ２となるように構成されている。また、芳香皿１２１の凹部１２１ｂと傾斜部１２１ｃは、芳香剤の滴下量が２滴の場合、芳香剤の表面積が２２０〜３４０ｍｍ２、より好ましくは２５０〜３１０ｍｍ２となるように構成されている。
【００９１】
次に、美容器１０の制御部品について、図３に基づき説明する。
図３に示すように、本体１１の内部には、操作部１４の下方に位置するように制御回路基板３１が配設されている。制御回路基板３１は、美容器１０の全体的な動作を制御する。また、制御回路基板３１の下方には、電源回路基板３０が固定されている。電源回路基板３０は、制御回路基板３１を含む各種モータや、各種ヒータ等に電力を供給するようになっている。
【００９２】
次に、美容器１０の電気的構成について、図１７に基づき説明する。
まず、電源回路基板３０について説明する。
電源回路基板３０には、電源コード２６が接続されており、商用コンセントから電力の供給を受けるようになっている。また、電源回路基板３０には、電源ボタン１６が接続されており、該電源ボタン１６が押下操作される毎に、商用コンセントから供給される電力が遮断されるＯＦＦ状態と、美容器１０が動作可能なＯＮ状態とに切替わるように構成されている。
【００９３】
電源回路基板３０には、芳香用モータ９５、温ミストヒータ（加熱手段）４１ａ、冷ミストヒータ６４、冷却用モータ７１、及び送風ポンプ７７が接続されている。また、電源回路基板３０には、高圧回路基板４６を介して放電部４２が接続されている。高圧回路基板４６は、電源回路基板３０から供給される電力の電圧を、放電針４８から放電可能な所定電圧まで昇圧させて、放電部４２に供給するようになっている。また、電源回路基板３０には、制御回路基板３１が接続されている。そして、電源回路基板３０は、制御回路基板３１の制御により電力を供給して各種モータ、及び各種ヒータ等を駆動及び停止させるようになっている。
【００９４】
次に、制御回路基板３１について説明する。
制御回路基板３１には、美容器１０の動作を制御するためのプログラムを記憶するとともに、各種の演算処理を実行するマイコン３１ａが搭載されている。制御回路基板３１には、運転制御ボタン１４ｂ、使用コース選択ボタン１４ａ、及び芳香制御ボタン１４ｃが接続されており、各ボタン１４ａ〜１４ｃが出力する操作信号を入力可能に構成されている。
【００９５】
制御回路基板３１には、本体蓋スイッチ３２ｂが接続されており、本体蓋１３が開かれていることを検知して本体蓋スイッチ３２ｂが出力するＯＮ信号を入力可能に構成されている。マイコン３１ａは、本体蓋スイッチ３２ｂが出力するＯＮ信号を入力すると、運転制御ボタン１４ｂ、使用コース選択ボタン１４ａ、及び芳香制御ボタン１４ｃの押下操作を有効とするようになっている。一方、本体蓋スイッチ３２ｂからＯＮ信号を入力していない状態、すなわち本体蓋１３が閉じられた状態にある場合、操作部１４の各ボタン１４ａ〜１４ｃの押下操作を無効とするようになっている。すなわち、本体蓋スイッチ３２ｂは、安全スイッチとして機能するようになっている。
【００９６】
また、制御回路基板３１には、取出ボタンセンサ９３ｆが接続されており、芳香容器ＨＹが収容室９３ａに収容（固定）されていることを検知して出力するＯＮ信号を入力可能に構成されている。マイコン３１ａは、取出ボタンセンサ９３ｆが出力するＯＮ信号を入力すると、運転制御ボタン１４ｂ、使用コース選択ボタン１４ａ、及び芳香制御ボタン１４ｃの押下操作を有効とするようになっている。一方、マイコン３１ａは、取出ボタンセンサ９３ｆからＯＮ信号を入力していない場合、すなわち芳香容器ＨＹが収容室９３ａに収容（固定）されていない場合、操作部１４の各ボタン１４ａ〜１４ｃの押下操作を無効とするようになっている。すなわち、取出ボタンセンサ９３ｆは、安全スイッチとして機能するようになっている。また、マイコン３１ａは、各ミストノズル１８，１９からミストＨ，Ｃが噴出されている状態で、取出ボタンセンサ９３ｆからＯＮ信号を入力しなくなると、ミストＨ，Ｃの発生を停止させるように電源回路基板３０を制御する。具体的に説明すると、マイコン３１ａは、温ミストＨの発生中には、温ミストヒータ４１ａをＯＦＦするように電源回路基板３０を制御する。また、マイコン３１ａは、冷ミストＣの発生中には、送風ポンプ７７、冷ミストヒータ６４、及び冷却用モータ７１をＯＦＦするように電源回路基板３０を制御する。
【００９７】
制御回路基板３１には、傾斜検知スイッチ２９が接続されており、傾斜検知スイッチ２９が本体１１の底部から突出して出力するＯＮ信号を入力可能に構成されている。マイコン３１ａは、本体１１が倒れたり、持ち上げられたりして傾斜検知スイッチ２９からＯＮ信号を入力すると、温ミストヒータ４１ａ、冷ミストヒータ６４、冷却用モータ７１、送風ポンプ７７、及び高圧回路基板４６に対する電力の供給を停止するように電源回路基板３０を制御する。すなわち、マイコン３１ａは、傾斜検知スイッチ２９からＯＮ信号を入力すると、美容器１０の全ての動作を停止させ、使用者の安全を確保するようになっている。
【００９８】
制御回路基板３１には、表示部Ｌが接続されている。そして、マイコン３１ａは、美容器１０の制御状態に応じて所定の点灯パターンで発光体を点灯させるように制御する。
制御回路基板３１には、ヒータサーミスタ４１ｂ、及び水温サーミスタ６６が接続されており、それぞれ各サーミスタ４１ｂ，６６が測定した温度に対応した温度検知信号を入力可能に構成されている。マイコン３１ａは、ヒータサーミスタ４１ｂにより検知する温ミストヒータ４１ａの温度が所定の設定温度を超えると、温ミストヒータ４１ａに供給する電力を遮断（停止）するように電源回路基板３０を制御し、温ミストヒータ４１ａをＯＦＦさせるようになっている。また、マイコン３１ａは、水温サーミスタ６６により検知する加熱処理部６１の水温が、所定の殺菌温度（本実施形態では、８０℃）未満になると、冷ミストヒータ６４に電力を供給するように電源回路基板３０を制御し、冷ミストヒータ６４をＯＮさせるようになっている。一方、マイコン３１ａは、水温サーミスタ６６により検知する加熱処理部６１の水温が所定の殺菌温度以上になると、冷ミストヒータ６４に供給する電力を遮断するように電源回路基板３０を制御し、冷ミストヒータ６４をＯＦＦさせるようになっている。
【００９９】
制御回路基板３１には、電源回路基板３０が接続されており、該電源回路基板３０から電力の供給を受けるようになっている。また、制御回路基板３１は、電源回路基板３０を制御して、電源回路基板３０に接続された各種モータ、及び各種ヒータ等への電力供給を制御するようになっている。
【０１００】
また、マイコン３１ａは、芳香制御ボタン１４ｃの操作により使用者Ｐが選択した芳香濃度に応じた芳香用ファン９４の回転数（回転速度）となるように、芳香用モータ９５に対し電力を供給するよう電源回路基板３０を制御するようになっている。マイコン３１ａは、選択された芳香濃度が高いほど、芳香用ファン９４の回転数が多くなるように電源回路基板３０を制御する。すなわち、マイコン３１ａは、選択された芳香濃度が高いほど、芳香用ファン９４により搬送する空気の量が多くなるように電源回路基板３０を制御する。また、マイコン３１ａは、所定の時間毎に揮発させる芳香剤の量を増減させる。
【０１０１】
そして、本実施形態のマイコン３１ａは、所定の時間毎に揮発させる芳香剤の量を増減させるように構成されている。具体的に説明すると、マイコン３１ａは、使用者Ｐが選択した芳香の強さ（濃度）に基づき、電源回路基板３０に芳香用モータ９５を駆動させる。さらに、マイコン３１ａは、芳香用モータ９５の駆動開始から、所定の期間（本実施形態では、２０秒間）が経過すると、芳香用モータ９５を所定の期間（本実施形態では、５秒間）停止させるように電源回路基板３０を制御する。このように構成することで、美容器１０では、芳香の発生と停止が交互に実行されるようになっている。
【０１０２】
なお、本実施形態では、各種モータ、及び各種ヒータを駆動させるように電源回路基板３０を制御するマイコン３１ａが、調整手段、制御手段を構成している。
次に、以上のように構成された美容器１０の作用（動作）について説明する。
【０１０３】
まず、キャップ２１の作用（動作）について説明する。
図６（ａ）に示すように、通常の使用状態においてキャップ２１は、噴射姿勢を保つようになっている。そして、図６（ｂ）に示すように、キャップ２１の上方から下方へ向けて使用者Ｐの手ＰＨが移動し、各ミストノズル１８，１９に触れようとすると、手ＰＨの接触及び下方への移動に伴ってキャップ２１は保護姿勢側へ移動される。このため、各ミストノズル１８，１９と手ＰＨとの間にキャップ２１が配置された状態となり、使用者Ｐの手ＰＨに各ミストＨ，Ｃが直接触れることがない。換言すれば、キャップ２１が保護姿勢となることで、各ミストノズル１８，１９と使用者Ｐの手ＰＨとが、キャップ２１によって物理的に隔離された状態となる。
【０１０４】
また、保護姿勢のキャップ２１は、各ミストノズル１８，１９の上方を覆うため、各ミストノズル１８，１９から噴出されるミストＨ，Ｃの噴出方向が下方に変更され、使用者Ｐに向かって噴出されないようになる。
【０１０５】
次に、温ミスト発生機構４０の作用（動作）について説明する。
図７に示すように、給水タンク２２からタンクホルダ２２ａに供給された水は、給水経路Ｋ１及び給水経路Ｋ２を通って沸騰室４１ｃに供給される。沸騰室４１ｃの水位は、給水タンク２２からの給水により所定の水位Ｗに保たれるようになっている。具体的に説明すると、沸騰室４１ｃの水位が低下すると給水タンク２２からの給水が開始されるとともに、沸騰室４１ｃの水位が所定の高さ（水位Ｗ）を超えると給水タンク２２からの給水が停止されるようになっている。沸騰室４１ｃに供給された水は、温ミストヒータ４１ａにより加熱及び気化されることで、温ミスト化される。発生された温ミストは、温ミスト経路Ｍ１を通って上方に導かれるとともに、放電部４２において両放電針４８の間で行われる高圧放電により微細化（イオン化）される。そして、微細化された温ミストは、温ミストノズル１８から前方に向けて噴出（噴射）される。なお、温ミストヒータ４１ａは、給水タンク２２が空となった場合など、沸騰室４１ｃの水位Ｗが低下して温度が上昇すると、マイコン３１ａの制御によりＯＦＦされるようになっている。
【０１０６】
次に、冷ミスト発生機構６０の作用（動作）について説明する。
図９に示すように、給水タンク２２からタンクホルダ２２ａに供給された水は、給水経路Ｋ３を通って加熱処理部６１の貯留室６１ａに供給される。貯留室６１ａに供給された水は、流入口６５ａからダンパ部６５の内部に流入するとともに、水位Ｗに保たれるようになっている。ダンパ部６５の内部に流入した水を含む貯留室６１ａの水は、冷ミストヒータ６４により所定の殺菌温度（本実施形態では、８０℃）まで加熱されるようになっている。
【０１０７】
ダンパ部６５の内部では、所定の間隔で交互に配置された区画板６５ｃによって、加熱に伴って発生する水の対流が抑制されるようになっている。また、流入口６５ａは、最小面積となるように形成されていることから、給水経路Ｋ３から供給された低温の水が、貯留室６１ａで発生する対流などによりダンパ部６５の内部に流入しにくくなっている。すなわち、ダンパ部６５の内部の水は、冷ミストヒータ６４により安定して加熱されるとともに、低温の水が内部に流入することにより温度が低下しないようになっている。また、ダンパ部６５では、冷ミストノズル１９から噴出される水が、少なくとも殺菌条件を満たす期間（本実施形態では、３０秒）、滞留されるようになっている。なお、本実施形態の美容器１０では、使用コース中に冷ミストＣのみを噴出させる使用コースが設定されていないことから、温ミストＨを温ミストノズル１８から噴出させている間に、ダンパ部６５の水の殺菌条件を達成するようになっている。そして、温ミストＨの噴出が終了すると、既に殺菌済みの水を冷ミストノズル１９が冷ミスト化して、使用者Ｐに向かって速やかに噴出できるようになっている。
【０１０８】
ダンパ部６５の内部で加熱及び殺菌された水は、送風ポンプ７７がＯＮ（駆動）されて空気噴出部１９ｃから空気が噴出されると、該噴出により発生する負圧によって、給水経路Ｋ４を水供給部１９ｂに向かって吸い出されるとともに、冷ミスト化されて前方に噴出されるようになっている。
【０１０９】
また、ダンパ部６５から吸い出された水に混入された気泡は、気液交換部６７において捕獲され水と交換されるようになっている。ここで、マイコン３１ａは、冷ミストノズル１９による冷ミスト発生開始（送風ポンプ７７のＯＮ（駆動））から所定期間（本実施形態では、５秒）、送風ポンプ７７が低速駆動されるように電源回路基板３０を制御する。そして、マイコン３１ａは、所定期間の経過後、送風ポンプ７７が通常の速度で駆動されるように電源回路基板３０を制御する。すなわち、マイコン３１ａは、冷ミスト発生開始時にダンパ部６５の水を気液交換室６７ａの内部にゆっくり流入されるように送風ポンプ７７の動作を制御して、気液交換室６７ａの内部の空気を先に全て冷ミストノズル１９から噴出させるようになっている。このため、気液交換室６７ａに対し急激に水が流入することで、気液交換室６７ａの内部に空気を残したまま冷ミストＣの噴出が開始されることを抑制するようになっている。そして、給水経路Ｋ４の水が気泡によって分断され、冷ミストＣの噴出が断続的になされたり、一時的に停止されてしまったりすることを防止できるようになっている。
【０１１０】
また、気液交換部６７により気泡を除去された水は、放熱部材６８の内部に形成された給水経路Ｋ４を通過する際に冷却されるようになっている。放熱部材６８は、冷却用ファン７０により搬送される空気によって冷却されるようになっている。なお、冷却用ファン７０により搬送される空気は、送風経路Ｓ１を通って冷ミストノズル１９の側方に開口する送風口７６から使用者Ｐに向けて噴出される。送風口７６から使用者Ｐに向かって空気を噴出することで、使用者Ｐの肌に付着した冷ミストＣの気化を促進し、使用者Ｐの肌を効率よく冷却することができるようになっている。したがって、使用者Ｐの冷却感を更に向上させるようになっている。
【０１１１】
次に、芳香発生部１５の作用（動作）について説明する。
図１３に示すように、芳香容器取出ボタン１１１が押下操作されると、フック部材１０８が収容室９３ａ（芳香容器ＨＹ）から離間する側に移動し、フック部材１０８の先端と蓋部材１２３の突起部１２３ｄとの係合が解除される。同時に、芳香容器ＨＹは、押上バネ１０４の付勢によりスプリングカバー１０５によって、天面１２から突出する位置へ押し上げられるとともに、本体１１（収容室９３ａ）から取出し可能な状態となる。そして、使用者Ｐは、天面１２から突出された芳香容器ＨＹの上端を保持し、上方に引き上げるようにして芳香発生部１５（収容室９３ａ）から芳香容器ＨＹを取出すことができる。
【０１１２】
図１５（ａ）及び図１５（ｂ）に示すように、蓋部材１２３は、周方向に回転させることで、蓋部材１２３の凸部１２３ｂと保持部材１２０の凹部１２０ｅとの係合を解除するとともに保持部材１２０から取り外すことができる。そして、使用者Ｐは、芳香皿１２１の凹部１２１ｂ及び傾斜部１２１ｃに対して、好みの芳香剤を滴下することができる。この際、凹部１２１ｂと傾斜部１２１ｃにより、芳香皿１２１の底面に滴下された芳香剤の拡がりを調整することができる。すなわち、芳香剤の滴下数に応じた表面積となる。
【０１１３】
芳香皿１２１に芳香剤を滴下した後、芳香皿１２１を覆うように蓋部材１２３をセットするとともに周方向に回動させて、凸部１２３ｂと凹部１２０ｅとを係合させ、蓋部材１２３を保持部材１２０に装着する。
【０１１４】
そして、蓋部材１２３のガイドレーン１２３ｃと、収容室９３ａのガイドリブ９３ｄの位置を合わせた状態で芳香容器ＨＹを収容室９３ａ（本体１１）に挿入する。この際、芳香容器ＨＹの上面（容器カバー１２４）を下方に押圧すると、フック部材１０８の先端が蓋部材１２３の突起部１２３ｄに押され、芳香容器ＨＹ（収容室９３ａ）から離間する側に移動する。さらに芳香容器ＨＹを押圧して下方に移動させると、着脱バネ１０９により付勢されたフック部材１０８が収容室９３ａに突出するとともに、突起部１２３ｄと係合する。そして、芳香容器ＨＹは、収容室９３ａ（本体１１）に固定（取付）される。
【０１１５】
図１３に示すように、電源回路基板３０から芳香用モータ９５に電力が供給されると、芳香用ファン９４が回転駆動されるとともに、吸気口９９から空気が送風経路Ｓ２に吸入される（矢印Ｙ４）。送風経路Ｓ２に吸入された空気は、さらに芳香用ファン９４により上方に向けて搬送される（矢印Ｙ４）。芳香用ファン９４が搬送する空気は、ファンカバー１０３の通風孔１０３ａからスプリングカバー１０５の側方を通って上方に搬送され、さらに蓋部材１２３の内面に形成された方向変更部１２６によって芳香皿１２１の内部に流入するように進行方向が変更される。芳香皿１２１に流入した空気は、芳香皿１２１の凹部１２１ｂ及び傾斜部１２１ｃに貯留された芳香剤を揮発させるとともに、再び上方に向かって搬送され芳香放出口１５ａから上方に向かって放出される（矢印Ｙ４）。なお、芳香放出口１５ａから上方に向かって噴出される空気の流速は、各ミストノズル１８，１９から噴出されるミストの進行が妨げられない風速となるように設定されている。本実施形態では、最大風速として０．６ｍ／秒とされている。
【０１１６】
図１８（ａ）及び図１８（ｂ）に示すように、美容器１０の使用状態において、温ミストＨは、温ミストノズル１８（温ミスト噴出口１８ａ）から使用者Ｐの顔に向かって噴出される。また、冷ミストＣは、冷ミストノズル１９（冷ミスト噴出口１９ａ）から使用者Ｐの顔に向かって噴出される。各ミストＨ，Ｃは、それぞれミストノズル１８，１９から噴出されると、前方に向かって左右上下方向に拡散しながら前進するようになっている。すなわち、各ミストＨ，Ｃは、各ミストノズル１８，１９から離間するほど拡散されるように噴出される。
【０１１７】
そして、芳香発生部１５で発生された芳香は、芳香放出口１５ａから上方に向かって放出される（図１８において矢印Ａで示す）。芳香放出口１５ａから上方に向かって放出された芳香は、各ミストノズル１８，１９から噴出され、芳香放出口１５ａの上方を通過する各ミストＨ，Ｃと混合されるとともに、各ミストＨ，Ｃと一体となって使用者Ｐに向かって搬送されるようになっている。換言すれば、各ミストノズル１８，１９から放出されるミストの噴出方向Ｈ２と、芳香放出口１５ａから放出される芳香の放出方向Ｈ１とは、交差するように設定されている。
【０１１８】
次に、本実施形態の美容器１０の使用方法について説明する。
まず、美容器１０を水平な机などの上に載置し、本体蓋１３を開いた状態で、電源コード２６を図示しない商用コンセントに差込み、美容器１０に電力を供給する。続けて、電源ボタン１６を押下操作して、美容器１０を動作可能な待機状態とする。次に、使用者Ｐは、使用コース選択ボタン１４ａを押下操作して、好みの使用コースを選択する。
【０１１９】
続けて、使用者Ｐは、芳香制御ボタン１４ｃを押下操作して、好みの芳香の強さ（濃度）を選択する。美容器１０では、使用コース及び芳香の強さを選択した後に、運転制御ボタン１４ｂが押下操作されることで、使用者Ｐにより任意に選択された使用コース及び芳香の強さで、各ミストＨ，Ｃの噴出及び芳香の放出（発生）が実行される。
【０１２０】
具体的に説明すると、最初に温ミストノズル１８から温ミストＨが使用者Ｐに向かって噴出されて、使用者Ｐの肌に温熱を与える。温ミストＨの噴出開始から所定の期間が経過すると、温ミストＨの噴出が停止されるとともに、冷ミストノズル１９から使用者Ｐに向かって冷ミストＣが噴出されて、使用者Ｐの肌を冷却する。更に、冷ミストＣの噴出開始から所定の期間が経過すると、冷ミストＣの噴出が停止されるとともに、温ミストＨの噴出が開始される。そして、温ミストＨと冷ミストＣの噴出が所定の回数だけ繰返された後に、ミストの噴出が終了される。また、各ミストＨ，Ｃの噴出中には、芳香放出口１５ａから選択した芳香の強さで芳香が放出（発生）される。
【０１２１】
なお、各ミストＨ，Ｃを噴出中であっても、使用者Ｐは、芳香制御ボタン１４ｃを押下操作することで、芳香の強さ（濃度）を切替えることができる。また、各ミストＨ，Ｃを噴出中であっても、使用者Ｐは、電源ボタン１６又は運転制御ボタン１４ｂを押下操作することで、各ミストノズル１８，１９からのミストの噴出を停止させることができる。
【０１２２】
そして、美容器１０の使用後に、本体蓋１３を閉じた状態とすることで、美容器１０の動作が不能な状態となる。
したがって、本実施形態によれば、以下に示す効果を得ることができる。
【０１２３】
（１）各ミストノズル１８，１９とは異なる位置から、各ミストＨ，Ｃに向かって芳香が放出（噴出）されるようにした。このため、各ミストノズル１８，１９から噴出された各ミストＨ，Ｃと芳香とが効率的に混合されるとともに一体となり、各ミストＨ，Ｃの噴出方向に安定した芳香を届ける（送出する）ことができる。したがって、美容器１０の使用者Ｐは、各ミストノズル１８，１９から噴出される各ミストＨ，Ｃを顔等に当てて使用する際、安定した芳香を得ることができる。
【０１２４】
（２）芳香放出口１５ａを、各ミストノズル１８，１９より使用者Ｐ側であって、各ミストノズル１８，１９に近接した位置に形成した。このため、各ミストノズル１８，１９から使用者Ｐに向かって拡散するように噴出される各ミストＨ，Ｃに対し、拡散される前の各ミストＨ，Ｃに向かって芳香を放出することができる。したがって、各ミストノズル１８，１９から離間した位置に芳香放出口１５ａを設け、既に拡散された各ミストＨ，Ｃに向かって芳香を放出する場合と比較して、芳香と各ミストＨ，Ｃとが混合され易くなる。そして、美容器１０を使用する使用者Ｐは、各ミストノズル１８，１９から噴出される各ミストＨ，Ｃを顔等に当てて使用する際、安定した芳香を得ることができる。
【０１２５】
（３）芳香放出口１５ａを、各ミストノズル１８，１９より使用者Ｐ側であって、温ミスト噴出口１８ａ（温ミストノズル１８）と、冷ミスト噴出口１９ａ（冷ミストノズル１９）との中央に配置した。このため、温ミストＨと、冷ミストＣの何れに対しても芳香放出口１５ａから芳香を放出することができる。したがって、各ミストノズル１８，１９から噴出される各ミストＨ，Ｃと、芳香とを混合して一体とさせることができるとともに、各ミストＨ，Ｃで芳香の強さ（濃度）が不均一となることを抑制することができる。そして、使用者Ｐは、各ミストノズル１８，１９の何れを使用している場合であっても、安定した芳香を得ることができる。
【０１２６】
（４）芳香皿１２１の底部に、複数の凹部１２１ｂと、傾斜部１２１ｃとを形成した。このため、凹部容積を超えない量の芳香剤を凹部１２１ｂに滴下する場合、芳香剤は、複数の凹部１２１ｂに流入するとともに貯留され、凹部１２１ｂが形成された部分より拡がらないように表面積が調整される。さらに、凹部容積を超える量の芳香剤を凹部１２１ｂに滴下する場合、芳香剤の表面積は、傾斜部１２１ｃの傾斜に沿って、滴下された芳香剤の量に応じた表面積となるように調整される。したがって、芳香皿１２１に滴下（貯留）された芳香剤の表面積を芳香剤の滴下量に応じた表面積に調整し、芳香剤の揮発量を調整することができる。
【０１２７】
（５）マイコン３１ａは、使用者Ｐが設定した芳香の強さ（濃度）に応じて、所定の回転数となるように芳香用モータ９５を駆動させるように電源回路基板３０を制御する。このため、所望の芳香の強さ（濃度）となるように、芳香剤の揮発量を調整することができる。さらに、芳香皿１２１に貯留される芳香剤の表面積が、芳香剤の滴下数に応じた所定の範囲に規定されることから、より細かな芳香の強さ（濃度）の調整をすることができる。
【０１２８】
（６）芳香の発生と停止とを交互に実行するようにした。一般に、人間は、一定濃度の芳香を嗅ぎ続けることでその芳香に対する嗅覚強度が低下し、芳香を感じ難くなる。本実施形態の美容器１０によれば、使用者Ｐの芳香剤に対する嗅覚強度を定期的に回復させ、使用者Ｐに対し継続して芳香を感じさせることができる。
【０１２９】
（７）芳香皿１２１に貯留した芳香剤は、芳香用ファン９４による送風によって揮発させるようにした。このため、芳香用モータ９５の駆動開始から安定して芳香剤を揮発させることが可能であるとともに、芳香用モータ９５の駆動停止により速やかに芳香剤の揮発の促進を停止することができる。したがって、温度上昇及び下降に時間が必要なヒータを用いて芳香剤を揮発させるよりも、マイコン３１ａによる芳香剤の揮発量の調整を応答性よく実行することができる。
【０１３０】
（８）芳香用ファン９４が空気を吸入する吸気口９９を、本体１１の底面に設けた。このため、天面１２に開口する芳香放出口１５ａから放出される芳香を再吸入することを回避し、使用者Ｐに確実に芳香を届けることができる。
【０１３１】
（９）使用者Ｐが各ミストＨ，Ｃと混合された状態で吸入する芳香剤の濃度が、使用者Ｐに悪影響を与える虞のある所定の濃度を超えないように、芳香放出口１５ａの直径、芳香放出口１５ａから噴出される空気の流速、及び芳香皿１２１に貯留された芳香剤の表面積を設定した。このため、使用者Ｐが、美容器１０の使用時において使用者Ｐに悪影響を与える虞のある所定の濃度以上の芳香（香り）を吸入し続けることを抑制することができる。
【０１３２】
（１０）芳香容器ＨＹ（蓋部材１２３）に方向変更部１２６を形成し、フック部１２０ｃが配設された部分を除く芳香皿１２１の略全周から、芳香用ファン９４により搬送される空気が内部に流入するようにした。このため、芳香剤と空気との接触面（表面）の全体に対して新しい空気が満遍なく供給され、効率的に芳香剤を揮発させることができる。
【０１３３】
（１１）芳香皿１２１を、フック部１２０ｃに嵌め込むとともにリング１２２を取着して、保持部材１２０に対して固定するようにした。このため、芳香皿１２１を保持部材１２０に確実に固定することができる。
【０１３４】
（１２）芳香容器取出ボタン１１１を押下操作して芳香容器ＨＹを本体１１（収容室９３ａ）から取出すと、各ミストＨ，Ｃの発生が停止されるようにした。このため、各ミストノズル１８，１９からミストＨ，Ｃが噴出されているにもかかわらず、本体１１から突出するように押上げられた芳香容器ＨＹを上方に取出そうとして、使用者Ｐが各ミストＨ，Ｃに触れてしまうことを防止できる。
【０１３５】
（１３）各ミストノズル１８，１９が設けられたノズルカバー２０に、キャップ２１を設けた。これによれば、使用者Ｐの手が各ミストノズル１８，１９に触れる動作を規制し、使用者Ｐを保護することができる。
【０１３６】
（１４）キャップ２１は、キャップ２１の上方から使用者Ｐが各ミストノズル１８，１９に触れようとした際に、噴射姿勢から保護姿勢側に回動（変位）して各ミストノズル１８，１９の上方を覆うように構成した。このため、使用者Ｐの手がキャップ２１の上方から各ミストノズル１８，１９に触れようとした際、各ミストＨ，Ｃと使用者の手との間にキャップ２１が位置することから、使用者Ｐが各ミストＨ，Ｃに直接触れることを物理的に防止することができる。
【０１３７】
（１５）キャップ２１は、ノズルカバー２０（本体１１）に対し着脱自在に構成した。このため、美容器１０が落下したり、使用者Ｐによりキャップ２１に無理な力をかけられたりした場合に、キャップ２１がノズルヒンジ部３５とともにノズルカバー２０から外れることで、キャップ２１の破損が抑制される。また、キャップ２１が破損した場合、キャップ２１のみを交換すればよく、本体１１を継続して使用することで省資源化を図ることができる。
【０１３８】
（１６）キャップ２１は、本体蓋１３が閉じられると、本体蓋１３の閉動作に伴って摺動リブ１３ｃを滑りながら保護姿勢（下方）側に移動し、本体蓋１３に収納されるようになっている。このため、本体蓋１３を大きく形成する必要がなく、本体蓋１３を閉じた状態の美容器１０を小型化（コンパクト化）できる。そして、小さなスペースに美容器１０を収納することができる。
【０１３９】
（１７）キャップ２１は、捻りコイルバネＢ２の付勢力により噴射姿勢を保持するようになっている。このため、本体蓋１３が開けられると、キャップ２１は付勢力により噴射姿勢に復帰するようになっている。したがって、使用者Ｐが、ノズルカバー２０にキャップ２１を取付け忘れたり、噴射姿勢に回動させるのを忘れたりすることで、キャップ２１が保護姿勢へ回動可能な状態、かつ噴射姿勢となった状態とならないことを確実に防止することができる。すなわち、キャップ２１により、使用者Ｐを保護することができる。
【０１４０】
（１８）芳香皿１２１は、芳香容器ＨＹに収容された状態で、本体１１に対して着脱自在に構成されている。このため、芳香剤が貯留された芳香皿１２１を単体で扱う必要がなくなり、使用者Ｐが誤って芳香剤を手に付着させてしまうことを抑制することができる。また、芳香皿１２１の取扱いが容易となり、使用者Ｐが落下させたり倒してしまったりすることを抑制することができる。そして、本体１１側に芳香剤を貯留する貯留部を設けた場合と比較して、手元で芳香剤の滴下作業を行い易く、誤って芳香剤を芳香皿１２１の内部（凹部１２１ｂ）以外の場所に滴下してしまうことを抑制できる。
【０１４１】
（１９）芳香皿１２１は、芳香容器ＨＹの保持部材１２０に対し着脱自在に構成した。このため、芳香皿１２１を使用後に保持部材１２０から取外すことで容易に洗浄することができる。
【０１４２】
（２０）芳香皿１２１の開口縁部に、折返し部１２１ａを形成した。このため、芳香皿１２１を倒した場合でも、芳香剤は折返し部１２１ａによってせき止められ、外部に流出することが抑制される。
【０１４３】
（２１）各ミストＨ，Ｃの噴出方向が下限方向側になるようにノズルカバー２０を下方に調整した場合、芳香容器ＨＹは、ミストガイド２０ｂに干渉（接触）して上方（各ミストＨ，Ｃ側）に取出せないようにした。このため、使用者Ｐは、芳香容器ＨＹを取出すためには、各ミストＨ，Ｃの噴出方向が上限方向側になるようにノズルカバー２０を上方に調整しなくてはならない。したがって、使用者Ｐに対し、ノズルカバー２０を上方に調整し、各ミストＨ，Ｃと芳香容器ＨＹとの間に手を入れる空間を確保してから芳香容器ＨＹを取出させるようにできる。
【０１４４】
（２２）芳香発生部１５を、温ミスト発生機構４０とは別に構成した。このため、温ミスト発生機構４０の温ミストヒータ４１ａや、温ミストＨの熱によって芳香容器ＨＹに貯留された芳香剤の揮発が促進されるなどの影響を抑制することができる。したがって、芳香用ファン９４の送風や、芳香皿１２１による揮発量の調整が容易となる。
【０１４５】
（２３）揮発させた芳香剤を、各ミストＨ，Ｃと混合させた状態で集中的に使用者Ｐに届けるようにした。このため、部屋全体に香りを発生させる場合と比較して、少量の芳香剤の揮発量で、使用者Ｐに芳香（香り）を感じさせることができる。したがって、芳香剤の使用量を低減し、節約することができる。
【０１４６】
（２４）芳香剤を貯留する芳香容器ＨＹ（芳香皿１２１）を、各ミストＨ，Ｃが通過しない送風経路Ｓ２内に配置した。このため、芳香皿１２１に貯留された芳香剤と、各ミストＨ，Ｃが直接接触することで、液体の芳香剤を含んだ各ミストＨ，Ｃが使用者Ｐに向かって噴出されることがない。したがって、使用者Ｐの安全を確保することができる。
【０１４７】
（２５）芳香容器ＨＹには、ゴム部材１２５が突出して収容室９３ａの内壁面に接触するように配設した。このため、芳香容器ＨＹを収容室９３ａから取出す際に、ゴム部材１２５と収容室９３ａの内壁面との間で摩擦が発生し、押上バネ１０４の付勢力によって、芳香容器ＨＹが本体１１（収容室９３ａ）から勢いよく飛び出すことを抑制することができる。
【０１４８】
（２６）芳香皿１２１を、蓋部材１２３と、保持部材１２０によって覆うとともに、芳香容器ＨＹ内において芳香皿１２１と各部材１２３，１２０との間に空間を設けた。このため、温ミスト発生機構４０や冷ミスト発生機構６０を構成する各ヒータ４１ａ，６４の熱が芳香皿１２１に伝達され難くなっている。したがって、芳香皿１２１に貯留された芳香剤が、各ヒータ４１ａ，６４の熱により揮発が促進されるなどの影響を抑制することができる。そして、芳香用ファン９４の送風や、芳香皿１２１による揮発量の調整が容易となる。
【０１４９】
（２７）芳香放出口１５ａを、液体の芳香剤が通過しにくい目の大きさの格子状に形成した。このため、使用者Ｐは、芳香容器ＨＹを本体１１から取出すとともに、蓋部材１２３を取り外さなければ、芳香皿１２１に対し芳香剤を滴下できない。すなわち、芳香容器ＨＹが本体１１（収容室９３ａ）に収容された状態のまま、使用者Ｐにより芳香皿１２１に向かって芳香剤が滴下されることを防止することができる。また、芳香皿１２１に芳香剤を貯留した状態で芳香容器ＨＹを倒しても、芳香剤が芳香放出口１５ａから外へ飛び出すことを抑制することができる。
【０１５０】
（２８）芳香放出口１５ａの格子の目の大きさは、使用者Ｐに対し、芳香放出口１５ａの上方から芳香皿１２１に芳香剤を滴下する気を起すことを抑制できる大きさ（細かさ）とした。このため、芳香容器ＨＹが本体１１（収容室９３ａ）に収容された状態のまま、使用者Ｐにより芳香皿１２１に向かって芳香剤が滴下されることを防止することができる。
【０１５１】
なお、上記実施形態は、以下のように変更してもよい。
○  本実施形態において、図１９に示すように、ノズルカバー２０の後方を覆うようにノズルヒンジ３６の左右両端から板状に延設した保持部３６ｆを形成するとともに、各保持部３６ｆの内側に凹部３６ｇを形成する。そして、各凹部３６ｇに対応するノズルカバー２０の両側面に、凹部３６ｇと係合する凸部２０ｃを形成する。このように構成しても、板状の保持部３６ｆが撓み易いことから、キャップ２１をノズルカバー２０に対して着脱自在に構成することができる。
【０１５２】
○  本実施形態において、キャップ２１を噴射姿勢に保つように付勢する手段として、捻りコイルバネＢ２以外のバネを使用してもよい。例えば、図２０（ａ）に示すように、キャップ２１に形成された係合部２１ｃを、ノズルカバー２０の上面に前後方向に延びるように形成されたガイド部２０ｄに係合させて、キャップ２１をノズルカバー２０に対し前後方向（矢印Ｙ５に示す）にスライド可能となるように構成する。そして、コイルバネＢ３の一端をキャップ２１の後部に固定する一方、他端をノズルカバー２０に固定して、キャップ２１が後方側に移動されるように付勢してもよい。また、図２０（ｂ）に示すように、キャップ２１とノズルカバー２０との間にコイルバネＢ４を配設し、キャップ２１が上方に移動されるように付勢してもよい。このように構成しても、キャップ２１は、常にはコイルバネＢ３，Ｂ４の付勢力により噴射位置に保持されるとともに、使用者Ｐの手ＰＨによって前方に向かって移動し保護姿勢となることができる。
【０１５３】
○  本実施形態において、キャップ２１には、該キャップ２１の噴射姿勢から保護姿勢側への移動と連動して、温ミスト噴出口１８ａから噴出される温ミストＨを遮蔽する遮蔽部を設けてもよい。具体的に説明すると、図２１（ａ）に示すように、キャップ２１が保護姿勢となった状態で、温ミスト噴出口１８ａに対し平行に配置され且つ温ミスト噴出口１８ａの略全面を覆うように、キャップ２１の内側から下方に向けて壁状の遮蔽部Ｆ１を立設する。また、図２１（ｂ）に示すように、キャップ２１が保護姿勢となった状態で、温ミスト噴出口１８ａに挿入されるように先端部が略円錐状に形成された遮蔽部Ｆ２を設けてもよい。なお、各遮蔽部Ｆ１，Ｆ２は、キャップ２１が噴射姿勢となった場合、温ミストＨの噴出を妨げないようになっている。このように構成しても、キャップ２１が保護姿勢となると、各遮蔽部Ｆ１，Ｆ２により温ミストＨが遮蔽され、温ミストＨが温ミスト噴出口１８ａに近い位置で使用者Ｐの手ＰＨに当ることを抑制することができる。また、温ミスト噴出口１８ａが各遮蔽部Ｆ１，Ｆ２によって遮蔽されることで、温ミストノズル１８の内部の圧力が上昇する。そして、各遮蔽部Ｆ１，Ｆ２と温ミスト噴出口１８ａとの隙間から温ミストＨが噴出されることで、断熱膨張により温ミストＨの温度を低下させることができる。このため、使用者Ｐをより確実に保護することができる。
【０１５４】
○  本実施形態において、芳香放出口１５ａは、格子状ではなく複数の丸孔により構成してもよい。この場合、芳香放出口１５ａに形成された各丸孔の直径は、芳香用ファン９４が搬送する空気の噴出を妨げない大きさで、且つ液状の芳香剤が表面張力により丸孔の中に保持されて通過しにくい直径とする。また、芳香放出口１５ａの各丸孔の直径は、使用者Ｐが芳香放出口１５ａの上方から芳香皿１２１に芳香剤を滴下する気を起すことを抑制できる大きさ（細かさ）としてもよい。このように構成しても、芳香容器ＨＹが本体１１（収容室９３ａ）に収容された状態のまま、使用者Ｐにより芳香皿１２１に向かって芳香剤が滴下されることを防止することができる。また、芳香容器ＨＹを倒してしまった場合に、芳香剤が外部に飛び出してしまうことを抑制することができる。
【０１５５】
○  本実施形態において、図２２に示すように、蓋部材１２３の内部に、芳香皿１２１の開口の一部を覆う邪魔板１２３ｈを形成してもよい。このように構成しても、使用者Ｐは、芳香容器ＨＹを本体１１から取出すとともに、蓋部材１２３を取り外さなければ、芳香皿１２１に対し芳香剤を滴下できない。また、芳香放出口１５ａの上方から芳香容器ＨＹの内部に収容された芳香皿１２１を視認することができないことから、使用者Ｐが芳香放出口１５ａの上方から芳香皿１２１に芳香剤を滴下する気を起すことを抑制できる。また、芳香容器ＨＹを倒してしまった場合などに、芳香剤が外部に飛び出してしまうことを抑制することができる。
【０１５６】
○  本実施形態において、凹部１２１ｂは、滴下された芳香剤の表面積を調整できる形状であれば、異なる形状としてもよい。例えば、図２３（ａ）に示すように、芳香皿１２１の底部に円輪形の凸壁１２１ｅを設けて円形の凹部１２１ｂを形成してもよい。このように構成しても、凹部１２１ｂに滴下された芳香剤の表面積は、芳香剤の滴下量が凹部容積を超えない所定の量の場合、凹部１２１ｂが形成された部分の面積以上には拡がらない。さらに、凹部容積を超える量の芳香剤を滴下した場合、芳香剤の表面積は傾斜部１２１ｃによって調整される。したがって、滴下された芳香剤の表面積を調整することで芳香剤の揮発量を調整することができる。また、図２３（ｂ）に示すように、芳香皿１２１の底部の中央に略円錐状に突出した凸部１２１ｆを形成することにより、凸部１２１ｆの周囲に円輪状の凹部１２１ｂを形成してもよい。このように構成しても、凹部１２１ｂは、滴下された芳香剤の表面積を調整することができる。
【０１５７】
○  本実施形態において、凹部１２１ｂの形状は半球状に形成することに限られず適宜変更してもよい。例えば、平面視六角形として芳香皿１２１の底部に隙間なく形成してもよい。このように構成しても、芳香剤の表面積を調整することができるとともに、各凹部１２１ｂを隔てる壁の厚さを薄くすることができる。
【０１５８】
○  本実施形態において、美容器１０の動作に係る全ての制御をマイコン３１ａで行わず、芳香発生部１５の制御を行う芳香制御部を別途設けてもよい。
○  本実施形態において、キャップ２１が保護姿勢側に移動されたことを検知して、各ミストＨ，Ｃの発生を停止させるようにしてもよい。具体的に説明すると、図２１（ｂ）に示すように、ヒンジ部３２に磁石２１ｄを配設するとともに、ノズルカバー２０の対応する位置にリードスイッチ式のキャップスイッチ１２９を設ける。キャップスイッチ１２９は、マイコン３１ａに接続する。そして、マイコン３１ａは、キャップ２１が噴射姿勢から保護姿勢側に移動されたことを検知してキャップスイッチ１２９が出力するＯＮ信号を入力すると、各ミストＨ，Ｃの噴出（発生）を停止させるように電源回路基板３０を制御する。これによれば、キャップ２１が保護姿勢側に移動されると各ミストＨ，Ｃの噴出が停止され、使用者Ｐの手ＰＨに各ミストＨ，Ｃが当ることを抑制することができる。また、この場合、各ミストＨ，Ｃの噴出量が減少されるように電源回路基板３０を制御してもよい。なお、キャップスイッチ１２９は、リードスイッチ式にかえて機械式の検知スイッチとしてもよい。
【０１５９】
○  本実施形態において、各ミストノズル１８，１９は、本体１１に前後方向、あるいは上下方向に縦並びに配設してもよい。この場合、芳香放出口１５ａは、正面視において一直線上に配置されるように設ける。このように構成しても、芳香放出口１５ａから放出される芳香と、各ミストＨ，Ｃとを混合し一体とすることができる。
【０１６０】
○  本実施形態において、ミストノズルを３つ以上設けてもよい。この場合、芳香放出口１５ａは、両端に位置する両ミストノズルの間に配置する。このように構成しても、各ミストノズルから噴出されるミストＨ，Ｃに向かって芳香を放出することができるとともに、各ミストノズルから噴出されるミストとの間の方向の強さの不均一さを抑制できる。
【０１６１】
○  本実施形態において、ミストノズルを１つだけ設けるようにしてもよい。
○  本実施形態において、ミストノズルから噴出するミストは、温ミストＨ及び冷ミストＣのうち何れか一方のみとしてもよい。
【０１６２】
○  本実施形態において、芳香放出口１５ａは、温ミストノズル１８と冷ミストノズル１９の間に位置するように、ノズルカバー２０に配置してもよい。このように構成しても、芳香放出口１５ａから放出される芳香と、各ミストＨ，Ｃとを混合し一体とすることができる。
【０１６３】
○  本実施形態において、芳香放出口１５ａは、温ミスト噴出口１８ａ（温ミストノズル１８）と冷ミスト噴出口１９ａ（冷ミストノズル１９）の中央に形成しなくてもよい。すなわち、芳香放出口１５ａは、温ミスト噴出口１８ａ（温ミストノズル１８）と冷ミスト噴出口１９ａ（冷ミストノズル１９）の間に形成されていればよい。このように構成しても、芳香放出口１５ａから放出される芳香と、各ミストＨ，Ｃとを混合し一体とすることができる。
【０１６４】
○  本実施形態において、マイコン３１ａは、所定時間毎に発生させる芳香の強さ（濃度）を低減させるようにしてもよい。このように構成しても、使用者Ｐの芳香に対する嗅覚強度を回復させて、継続して芳香を感じさせることができる。
【０１６５】
○  本実施形態において、芳香放出口１５ａから噴出させる空気の流速は適宜変更してもよい。
○  本実施形態において、温ミストＨと冷ミストＣとを同時に噴出させてもよい。また、本実施形態において、冷ミストＣのみを噴出する使用コースを設定してもよい。
【０１６６】
○  本実施形態において、ゴム部材１２５にかえて、蓋部材１２３又は収容室９３ａに突起や、板バネを設けてもよい。このように構成しても、芳香容器ＨＹが収容室９３ａから飛び出すことを防止できる。
【０１６７】
○  本実施形態において、芳香皿１２１は、陶器製やプラスチック製としてもよい。
○  本実施形態において、芳香皿１２１は金属製としたが、プラスチック製の使い捨て容器としてもよい。このように構成することで、同じ芳香皿１２１を何度も使用することで、芳香剤の芳香が混ざってしまうことがない。また、保持部材１２０と一体に芳香皿１２１を形成した場合と比較して、原材料の使用量、コスト、芳香皿１２１の保存スペース、及び環境負荷を低減することができる。
【０１６８】
○  本実施形態において、凹部１２１ｂの大きさや数、傾斜部１２１ｃの角度や幅が異なる複数種類の芳香皿１２１を用意し、発生させる芳香の強さ（濃度）に応じて交換して使用してもよい。
【０１６９】
○  本実施形態において、放熱部材６８による空冷にかえて、水冷式の冷却部６２にしたり、ペルチェ素子を用いて冷却したりしてもよい。このように構成しても、加熱処理部６１で加熱された水を冷却することができる。
【０１７０】
○  本実施形態において、マイコン３１ａの制御によりヒータを用いて芳香皿１２１に貯留された芳香剤を揮発させてもよい。この場合、ヒータが揮発手段を構成し、該ヒータの動作を制御するマイコン３１ａが調整手段を構成する。
【０１７１】
○  本実施形態において、吸気口９９を本体１１の底面以外の部分に形成してもよい。すなわち、吸気口９９は、芳香放出口１５ａから放出（噴出）された芳香を再吸入し難い場所に形成する。例えば、吸気口９９を本体１１の後方側面に形成する。
【０１７２】
○  本実施形態において、芳香皿１２１を保持部材１２０と一体に形成してもよい。このように構成しても、芳香皿１２１を単体で扱うよりも取扱いが容易となる。
○  本実施形態において、芳香皿１２１の形状は平面視円形でなくてもよく、例えば多角形としてもよい。
【０１７３】
○  本実施形態において、芳香用ファン９４が搬送する空気を芳香皿１２１の下方から搬送することに限られず、側方から搬送されるように構成してもよい。この場合、方向変更部１２６は、側方から搬送される空気が芳香皿１２１の略全周から内部に流入するように進路を変更可能に構成する。
【０１７４】
○  本実施形態において、芳香放出口１５ａは、各ミスト噴出口１８ａ，１９ａの間に形成されていればよく、その形状を平面視円形にすることに限られない。例えば、楕円形や、方形、多角形となるように構成してもよい。このように構成しても、温ミストＨと、冷ミストＣの何れに対しても芳香放出口１５ａから芳香を放出し、各ミストＨ，Ｃで芳香の強さ（濃度）が不均一となることを抑制することができる。
【０１７５】
○  本実施形態において、超音波によって液体（水）をミスト化してミストノズルから噴出させてもよい。
【図面の簡単な説明】
【０１７６】
【図１】本実施形態の美容器の斜視図。
【図２】（ａ）は、本体蓋を開いた状態の美容器の正面図、（ｂ）は、本体蓋を開いた状態の美容器の側面図、（ｃ）は、本体蓋を閉じた状態の美容器の正面図、（ｄ）は、本体蓋を閉じた状態の美容器の側面図。
【図３】図２（ｃ）に示すＡ−Ａ線断面図。
【図４】本体蓋の部分分解斜視図。
【図５】キャップの分解斜視図。
【図６】（ａ）及び（ｂ）は、キャップの動作を説明するための断面図。
【図７】図２（ａ）に示すＢ−Ｂ線断面図。
【図８】図７に示すＥ−Ｅ線断面図。
【図９】（ａ）は、図２（ａ）に示すＣ−Ｃ線断面図、（ｂ）は、冷ミストノズル（冷ミスト噴出口）の拡大断面図。
【図１０】排水口の部分斜視図。
【図１１】排水機構の部分分解斜視図。
【図１２】（ａ）及び（ｂ）は、図１０に示すＦ−Ｆ線断面図。
【図１３】（ａ）は、図２（ｂ）及び図３に示すＤ−Ｄ線断面図、（ｂ）は、（ａ）に示すＧ−Ｇ線断面図。
【図１４】芳香容器着脱機構の分解斜視図。
【図１５】（ａ）は、芳香容器の斜視図、（ｂ）及び（ｃ）は、芳香容器の分解斜視図。
【図１６】（ａ）は、芳香皿の平面図、（ｂ）は、芳香皿の側面図、（ｃ）は、（ａ）のＨ−Ｈ線断面図。
【図１７】本実施形態における美容器の電気的構成を示すブロック図。
【図１８】（ａ）は、本実施形態における美容器の使用状態を示す模式側面図、（ｂ）は、本実施形態における美容器の使用状態を示す模式平面図。
【図１９】別例におけるキャップの分解斜視図。
【図２０】（ａ）及び（ｂ）は、別例におけるキャップの断面図。
【図２１】（ａ）及び（ｂ）は、別例におけるキャップの断面図。
【図２２】別例における芳香容器（蓋部材）の断面図。
【図２３】（ａ）及び（ｂ）は、別例における芳香皿の断面図。
【符号の説明】
【０１７７】
１０…美容器、１１ａ…ハウジング、１３…本体蓋、１５…芳香発生部、１５ａ…芳香放出口、１８…温ミストノズル、１８ａ…温ミスト噴出口、１９…冷ミストノズル、１９ａ…冷ミスト噴出口、２０…ノズルカバー、２１…キャップ、３０…電源回路基板、３１ａ…マイコン、４０…温ミスト発生機構、４１ａ…温ミストヒータ、６０…冷ミスト発生機構、９４…芳香用ファン、９９…吸気口、１０２…芳香容器固定部、１１１…芳香容器取出ボタン、１２０…保持部材、１２１…芳香皿、１２１ａ…折返し部、１２１ｂ…凹部、１２１ｃ…傾斜部、１２１ｈ…壁部、１２３…蓋部材、１２６…方向変更部、Ｈ…温ミスト、Ｃ…冷ミスト、Ｐ…使用者、ＰＨ…手。
【図１】
0004661893.tif 000002
【図２】
0004661893.tif 000003
【図３】
0004661893.tif 000004
【図４】
0004661893.tif 000005
【図５】
0004661893.tif 000006
【図６】
0004661893.tif 000007
【図７】
0004661893.tif 000008
【図８】
0004661893.tif 000009
【図９】
0004661893.tif 000010
【図１０】
0004661893.tif 000011
【図１１】
0004661893.tif 000012
【図１２】
0004661893.tif 000013
【図１３】
0004661893.tif 000014
【図１４】
0004661893.tif 000015
【図１５】
0004661893.tif 000016
【図１６】
0004661893.tif 000017
【図１７】
0004661893.tif 000018
【図１８】
0004661893.tif 000019
【図１９】
0004661893.tif 000020
【図２０】
0004661893.tif 000021
【図２１】
0004661893.tif 000022
【図２２】
0004661893.tif 000023
【図２３】
0004661893.tif 000024